(57)【要約】  情報が送信の間に干渉を受けたかどうかに関する明示的なインジケーションが提供される。たとえば、受信機は、受信されたパケットを監視して、所与の受信されたパケット内のデータユニットのうちのいずれかが送信の間に干渉を受けたかどうかを決定することができる。受けた場合、受信機は、干渉について送信機に伝えるためのインジケーションを送信機に送ることができる。このインジケーションは、送信機が、チャネルフェージングの結果として生じたパケットロスと干渉の結果として生じたパケットロスとを区別するのを可能にする。したがって、送信機は、そのパケットロスが、チャネルフェージングによるか、または干渉によるかに応じて、異なるアクションを起動することができる。【選択図】図６
2016516320.tif 000002
【特許請求の範囲】
【請求項１】
ワイヤレス通信のために構成された装置であって、
第２の装置によって送信された少なくとも１つのデータユニットを受信するように構成された受信機と、
前記少なくとも１つのデータユニットが前記少なくとも１つのデータユニットの前記送信の間に干渉を受けたかどうかを示す、少なくとも１つのインジケーションを生成するように構成された処理システムと、
前記少なくとも１つのインジケーションを前記第２の装置に送信するように構成された送信機と
を備える、装置。
【請求項２】
前記少なくとも１つのデータユニットを前記受信することは、複数のデータユニットを受信することを備え、
前記少なくとも１つのインジケーションは、干渉を受けた前記データユニットの各々を識別する
請求項１に記載の装置。
【請求項３】
前記少なくとも１つのデータユニットを前記受信することは、複数のデータユニットを受信することを備え、
前記少なくとも１つのインジケーションを前記生成することは、前記データユニットのうちいくつが干渉を受けたかに関する情報を累積することと、前記累積された情報に基づいてメトリックを生成することとを備える、
請求項１に記載の装置。
【請求項４】
前記少なくとも１つのデータユニットを前記受信することは、複数のデータユニットを受信することを備え、
前記処理システムは、前記装置によって成功裏に受信されなかった前記データユニットのうちのいずれかを識別するようにさらに構成され、
前記少なくとも１つのインジケーションは、成功裏に受信されなかった前記データユニットの各々に関して、前記データユニットが干渉を受けたかどうかを示す、
請求項１に記載の装置。
【請求項５】
前記少なくとも１つのデータユニットは、複数のシンボルを備え、
前記少なくとも１つのインジケーションは、干渉を受けた前記シンボルのうちの少なくとも１つを示す、
請求項１に記載の装置。
【請求項６】
前記少なくとも１つのデータユニットは、複数のシンボルを備え、
前記少なくとも１つのインジケーションは、干渉を受けた前記シンボルの量を識別する、
請求項１に記載の装置。
【請求項７】
前記送信機は、機能情報を前記第２の装置に送信するようにさらに構成され、
前記機能情報は、前記装置が、データユニットが干渉を受けるかどうかのインジケーションを送ることをサポートすることを示す、
請求項１に記載の装置。
【請求項８】
前記機能情報は、前記インジケーションが前記装置から前記第２の装置に送られたメッセージ内のどこに位置するようになるかをさらに示す、
請求項７に記載の装置。
【請求項９】
前記機能情報は、前記インジケーションが他の情報の代わりになることをさらに示し、それは、そうでなければ、前記装置から前記第２の装置へのメッセージ内で送られることになる、
請求項７に記載の装置。
【請求項１０】
ワイヤレス通信の方法であって、
第２の装置によって送信された少なくとも１つのデータユニットを第１の装置において受信することと、
前記少なくとも１つのデータユニットが前記少なくとも１つのデータユニットの前記送信の間に干渉を受けたかどうかを示す、少なくとも１つのインジケーションを生成することと、
前記少なくとも１つのインジケーションを前記第１の装置から前記第２の装置に送信することと
を備える、方法。
【請求項１１】
前記少なくとも１つのデータユニットを前記受信することは、複数のデータユニットを受信することを備え、
前記少なくとも１つのインジケーションは、干渉を受けた前記データユニットの各々を識別する、
請求項１０に記載の方法。
【請求項１２】
前記少なくとも１つのデータユニットを前記受信することは、複数のデータユニットを受信することを備え、
前記少なくとも１つのインジケーションを前記生成することは、前記データユニットのうちいくつが干渉を受けたかに関する情報を累積することと、前記累積された情報に基づいてメトリックを生成することとを備える、
請求項１０に記載の方法。
【請求項１３】
前記少なくとも１つのデータユニットを前記受信することは、複数のデータユニットを受信することを備え、
前記方法は、前記第１の装置によって成功裏に受信されなかった前記データユニットのうちのいずれかを識別することをさらに備え、
前記少なくとも１つのインジケーションは、成功裏に受信されなかった前記データユニットの各々に関して、前記データユニットが干渉を受けたかどうかを示す、
請求項１０に記載の方法。
【請求項１４】
前記少なくとも１つのデータユニットは、複数のシンボルを備え、
前記少なくとも１つのインジケーションは、干渉を受けた前記シンボルのうちの少なくとも１つを示す、
請求項１０に記載の方法。
【請求項１５】
前記少なくとも１つのデータユニットは、複数のシンボルを備え、
前記少なくとも１つのインジケーションは、干渉を受けた前記シンボルの量を識別する、
請求項１０に記載の方法。
【請求項１６】
ワイヤレス通信のために構成された装置であって、
少なくとも１つのデータユニットを第２の装置に送信するように構成された送信機と、
前記第２の装置によって送信された少なくとも１つのインジケーションを受信するように構成された受信機、ここにおいて、前記少なくとも１つのインジケーションは、前記少なくとも１つのデータユニットが前記少なくとも１つのデータユニットの前記送信の間に干渉を受けたかどうかを示す、と、
前記少なくとも１つのインジケーションに基づいて、少なくとも１つの他のデータユニットを前記装置から前記第２の装置に送信するための少なくとも１つの送信パラメータを決定するように構成された処理システムと
を備える、装置。
【請求項１７】
前記少なくとも１つのデータユニットは、複数のデータユニットを備え、
前記少なくとも１つのインジケーションは、干渉を受けた前記データユニットの各々を識別する、
請求項１６に記載の装置。
【請求項１８】
前記少なくとも１つのデータユニットは、複数のデータユニットを備え、
前記少なくとも１つのインジケーションは、前記データユニットのうちいくつが干渉を受けたかを示す、累積された情報を備える、
請求項１６に記載の装置。
【請求項１９】
前記少なくとも１つのデータユニットは、複数のデータユニットを備え、
前記データユニットはパケット内に含まれ、
前記少なくとも１つのインジケーションは、前記パケットの前記データユニットのうちの１つまたは複数が干渉を受けたことを示す、
請求項１６に記載の装置。
【請求項２０】
前記少なくとも１つのデータユニットは、複数のデータユニットを備え、
前記少なくとも１つのインジケーションは、前記第２の装置によって成功裏に受信されなかった前記データユニットの各々に関して、前記データユニットが干渉を受けたかどうかを示す、
請求項１６に記載の装置。
【請求項２１】
前記少なくとも１つのデータユニットは、複数のデータユニットを備え、
前記受信機は、前記データユニットのうちいくつが前記第２の装置によって成功裏に受信されなかったかを示す情報を受信するようにさらに構成され、
前記処理システムは、前記少なくとも１つのインジケーションおよび前記受信された情報に基づいて、干渉により成功裏に受信されなかった前記データユニットの第１の量と、チャネル状態により成功裏に受信されなかった前記データユニットの第２の量とを決定するようにさらに構成され、
前記少なくとも１つの送信パラメータを前記決定することは、前記第１の量と前記第２の量とに基づく、
請求項１６に記載の装置。
【請求項２２】
前記少なくとも１つのデータユニットは、複数のシンボルを備え、
前記少なくとも１つのインジケーションは、干渉を受けた前記シンボルのうちの少なくとも１つを示す、
請求項１６に記載の装置。
【請求項２３】
前記少なくとも１つのデータユニットは、複数のシンボルを備え、
前記少なくとも１つのインジケーションは、干渉を受けた前記シンボルの量を識別する、
請求項１６に記載の装置。
【請求項２４】
前記少なくとも１つの送信パラメータを前記決定することは、変調およびコーディング方式を適応するかどうかを決定することを備える、
請求項１６に記載の装置。
【請求項２５】
ワイヤレス通信の方法であって、
少なくとも１つのデータユニットを第１の装置から第２の装置に送信することと、
前記第２の装置によって送信された少なくとも１つのインジケーションを前記第１の装置において受信することと、ここにおいて、前記少なくとも１つのインジケーションは、前記少なくとも１つのデータユニットが前記少なくとも１つのデータユニットの前記送信の間に干渉を受けたかどうかを示す、
前記少なくとも１つのインジケーションに基づいて、少なくとも１つの他のデータユニットを前記第１の装置から前記第２の装置に送信するための少なくとも１つの送信パラメータを決定することと
を備える、方法。
【請求項２６】
前記少なくとも１つのデータユニットは、複数のデータユニットを備え、
前記少なくとも１つのインジケーションは、干渉を受けた前記データユニットの各々を識別する、
請求項２５に記載の方法。
【請求項２７】
前記少なくとも１つのデータユニットは、複数のデータユニットを備え、
前記少なくとも１つのインジケーションは、前記データユニットのうちいくつが干渉を受けたかを示す、累積された情報を備える、
請求項２５に記載の方法。
【請求項２８】
前記少なくとも１つのデータユニットは、複数のデータユニットを備え、
前記データユニットは、パケット内に含まれ、
前記少なくとも１つのインジケーションは、前記パケットの前記データユニットのうちの１つまたは複数が干渉を受けたことを示す、
請求項２５に記載の方法。
【請求項２９】
前記少なくとも１つのデータユニットは、複数のデータユニットを備え、
前記少なくとも１つのインジケーションは、前記第２の装置によって成功裏に受信されなかった前記データユニットの各々に関して、前記データユニットが干渉を受けたかどうかを示す、
請求項２５に記載の方法。
【請求項３０】
前記少なくとも１つのデータユニットは、複数のデータユニットを備え、
前記方法は、前記データユニットのうちいくつが前記第２の装置によって成功裏に受信されなかったかを示す情報を受信することをさらに備え、
前記方法は、前記少なくとも１つのインジケーションおよび前記受信された情報に基づいて、干渉により成功裏に受信されなかった前記データユニットの第１の量と、チャネル状態により成功裏に受信されなかった前記データユニットの第２の量とを決定することをさらに備え、
前記少なくとも１つの送信パラメータを前記決定することは、前記第１の量と前記第２の量とに基づく、
請求項２５に記載の方法。
【発明の詳細な説明】
【優先権の主張】
【０００１】
[0001]本出願は、その開示の全体が参照により本明細書に組み込まれる、本願の譲受人が所有する、２０１３年２月２５日に出願された、代理人整理番号第１３１６９５Ｐ１を割り当てられた米国仮特許出願第６１／７６８，９７５号、および「INDICATING WHETHER DATA WAS SUBJECTED TO INTERFERENCE」という表題の、２０１４年２月１９日に出願された、米国非仮出願第１４／１８４，６５１号の優先権の利益を主張する。
【技術分野】
【０００２】
[0002]本出願は、一般に、ワイヤレス通信に関し、より詳細には、限定はしないが、干渉を示すことに関する。
【背景技術】
【０００３】
序論  
[0003]通信ネットワークは、ユーザがいくつかのインタラクトする空間的に分離されたデバイスの間でメッセージを交換するのを可能にする。通信ネットワークは、たとえば、広域、メトロポリタンエリア、ローカルエリア、またはパーソナルエリアであり得る地理的な範囲に従って分類され得る。そのようなネットワークは、ワイドエリアネットワーク（ＷＡＮ）、メトロポリタンエリアネットワーク（ＭＡＮ）、ローカルエリアネットワーク（ＬＡＮ）、またはパーソナルエリアネットワーク（ＰＡＮ）としてそれぞれ指定され得る。通信ネットワークはまた、様々なネットワーク装置およびデバイスを相互接続するために用いられる交換技法ならびに／またはルーティング技法により異なる。たとえば、通信ネットワークは、回路交換、パケット交換、またはそれらの２つの何らかの組合せを使用することができる。通信ネットワークは、送信のために用いられ得る物理媒体のタイプによって異なり得る。たとえば、通信ネットワークは、ワイヤード通信、ワイヤレス通信、または両方のタイプの通信をサポートし得る。通信ネットワークは、通信プロトコルの異なるセットを使用することも可能である。そのような通信プロトコルの例としては、インターネットプロトコル（ＩＰ）スイート、同期光ネットワーク（ＳＯＮＥＴ）プロトコル、およびイーサネット（登録商標）プロトコルがある。
【０００４】
[0004]一般に、ワイヤレスネットワークは、無線、マイクロ波、赤外線、光、または他の周波数帯域内の電磁波を使用する非誘導伝搬モードでは、無形の物理媒体を用いる。したがって、ワイヤレスネットワークは、固定ワイヤードネットワークと比較して、ユーザモビリティと迅速なフィールド展開とを容易にするためにより良好に適合され得る。たとえば、ワイヤレスネットワークは、モバイルであり、動的接続性ニーズを有するネットワーク要素を容易にサポートする。ワイヤレスネットワークの使用はまた、固定トポロジーではなく、アドホックトポロジーを有するネットワークアーキテクチャを提供することが望ましいシナリオに関して好ましい場合がある。
【０００５】
[0005]いくつかのタイプのワイヤレスネットワークは、高いレベルの通信性能を維持するためにレート適応を使用する。たとえば、レート適応は、それによって、送信機が、その送信機がパケットを受信機に送るために使用する送信レートを適応することができるワイヤレスＬＡＮ（ＷＬＡＮ）など、ワイヤレスネットワークにおいて用いられ得る。典型的なシナリオでは、レートを適応するかどうか、およびレートをどのように適応するかに関する決定は、その送信機によって前に送信されたパケットがその受信機において成功裏に受信されたかどうかに基づく。
【０００６】
[0006]いくつかのタイプのレート適応は、オープンループパケット誤り率（ＰＥＲ）に関する統計に基づく。このタイプのレート適応の一例は、アダプティブオートマティックレートフォールバック（ＡＡＲＦ：adaptive automatic rate fallback）である。ＡＡＲＦまたは他の類似のアルゴリズムの使用により、送信機は、パケットロスを測定して、それに応じて、その送信レートを適応することができる。たとえば、送信機がパケットロスの増大を観測した場合、送信機はその送信レートを下げることができる。
【０００７】
[0007]いくつかのタイプのレート適応は、どの程度のデータが失われたかを示す、受信機からのフィードバックに基づく。たとえば、Ｗｉ−Ｆｉ（登録商標）ネットワーク（すなわち、ＩＥＥＥ  ８０２．１１ベースのネットワーク）では、受信機は、失われた（すなわち、送信機によって送信されたが、受信機によって受信されなかった）媒体アクセス制御（ＭＡＣ）プロトコルデータユニット（ＭＰＤＵ）の数を示すフィードバックを提供することができる。受信機は、たとえば、ブロック肯定応答（ＡＣＫ）ビットマップを介して、この情報を送信機に送ることができる。
【０００８】
[0008]いくつかの実装形態では、レート適応は、信号対雑音比（ＳＮＲ）および／またはリンクバジェットを示すフィードバックに基づく。たとえば、送信機は、ＳＮＲ／リンクバジェットが低下したことを示す、受信機からのフィードバックの受信時に、その送信レートを下げることができる。
【０００９】
[0009]いくつかのタイプのレート適応は、閉ループフィードバックに基づく。この場合、受信機は、データを受信するための好ましいレート（たとえば、好ましい変調およびコーディング方式（ＭＣＳ））を決定して、この好ましいレートの明示的なインジケーションを送信機に送ることができる。次いで、送信機は、その送信機がこの好ましいレートを満たすことができるかどうかを決定する。できる場合、送信機は、データを受信機に送信するために、その好ましいレートを使用する。
【発明の概要】
【００１０】
[0010]本開示のいくつかの例示的な態様の概要は以下の通りである。この概要は、そのような態様の基本的理解を与えるために、読者の便宜のために与えられるものであり、本開示の幅を完全に定義するとは限らない。この概要は、すべての企図された態様の包括的な概観ではなく、すべての態様の主要なまたは重要な要素を識別するものでも、いずれかまたはすべての態様の範囲を定めるものでもない。その唯一の目的は、後で提示するより詳細な説明の導入として、１つまたは複数の態様のいくつかの概念を簡略化された形態で提示することである。便宜上、本開示の単一の態様または複数の態様を指すために本明細書では、いくつかの態様という用語が使用され得る。
【００１１】
[0011]本開示は、いくつかの態様では、ワイヤレスシステムにおいて通信性能を改善するための技法に関する。実際には、従来のレート適応方式は、ある種のシナリオにおいて、所望の性能を実現しない場合がある。チャネルフェージングによるパケットロスの場合、従来のレート適応は、送信機と受信機との間の高い経路ロスに対してレートを調整することによって、チャネルフェージングを効果的になくすことが可能である。しかしながら、衝突（すなわち、干渉）によるパケットロスの場合、干渉は、従来のレート適応では効果的になくすことができない。この場合、干渉誘導パケットロスによってトリガされたレートの低減は、送信時間を長引かせることになる。したがって、ワイヤレスネットワーク内の干渉は、これらの状況下で、実際に高まる可能性がある。
【００１２】
[0012]本開示は、いくつかの態様では、情報がその情報の送信の間に干渉を受けたかどうかについて明示的なインジケーションを提供することに関する。たとえば、受信機は、受信されたパケットを監視して、所与の受信されたパケット内のデータユニット（たとえば、ＭＰＤＵ）のうちのいずれかが送信の間に干渉を受けたかどうかを決定することができる。受けた場合、受信機は、干渉について送信機に伝えるためのインジケーションを送信機に送る。このインジケーションは、送信機が、チャネルフェージングの結果として生じたパケットロスと干渉の結果として生じたパケットロスとを区別するのを可能にする。したがって、送信機は、そのパケットロスが、チャネルフェージングによるか、または干渉によるかに応じて、異なるアクションを起動することができる。チャネルフェージングの場合、送信機はその送信レートを調整することができる。他方で、干渉の場合、送信機はその送信レートを調整しなくてよい。代わりに、送信機は、干渉を低減するための措置をとることができる。たとえば、送信機は、媒体アクセスパラメータを修正すること、媒体アクセススケジュールを修正すること、コンテンション方式（たとえば、送信要求／送信可（ＲＴＳ／ＣＴＳ））を用いて送信を保護することによって、または他の適切な措置をとることによって、干渉を低減することができる。
【００１３】
[0013]本開示の様々な態様は、ワイヤレス通信のために構成された装置を提供する。装置は、第２の装置によって送信された少なくとも１つのデータユニットを受信するように構成された受信機と、少なくとも１つのデータユニットがその少なくとも１つのデータユニットの送信の間に干渉を受けたかどうかを示す、少なくとも１つのインジケーションを生成するように構成された処理システムと、その少なくとも１つのインジケーションを第２の装置に送信するように構成された送信機とを備える。
【００１４】
[0014]本開示の別の態様は、ワイヤレス通信の方法を提供する。方法は、第２の装置によって送信された少なくとも１つのデータユニットを第１の装置において受信することと、少なくとも１つのデータユニットがその少なくとも１つのデータユニットの送信の間に干渉を受けたかどうかを示す、少なくとも１つのインジケーションを生成することと、その少なくとも１つのインジケーションを第１の装置から第２の装置に送信することとを備える。
【００１５】
[0015]本開示のまたさらなる態様は、ワイヤレス通信のために構成された別の装置を提供する。装置は、第２の装置によって送信された少なくとも１つのデータユニットを受信するための手段と、少なくとも１つのデータユニットがその少なくとも１つのデータユニットの送信の間に干渉を受けたかどうかを示す、少なくとも１つのインジケーションを生成するための手段と、その少なくとも１つのインジケーションを第２の装置に送信するための手段とを備える。
【００１６】
[0016]本開示の追加の態様は、コンピュータ可読媒体を備えるコンピュータプログラム製品を提供する。コンピュータ可読媒体は、第２の装置によって送信された少なくとも１つのデータユニットを第１の装置において受信することと、少なくとも１つのデータユニットが、その少なくとも１つのデータユニットの送信の間に干渉を受けたかどうかを示す、少なくとも１つのインジケーションを生成することと、その少なくとも１つのインジケーションを第１の装置から第２の装置に送信することとを行うように実行可能なコードを備える。
【００１７】
[0017]本開示の他の態様は、ワイヤレスデバイスを提供する。ワイヤレスデバイスは、アンテナと、装置によって送信された少なくとも１つのデータユニットを、アンテナを介して受信するように構成された受信機と、少なくとも１つのデータユニットがその少なくとも１つのデータユニットの送信の間に干渉を受けたかどうかを示す、少なくとも１つのインジケーションを生成するように構成された処理システムと、その少なくとも１つのインジケーションを装置に送信するように構成された送信機とを備える。
【００１８】
[0018]また、本開示の様々な態様は、ワイヤレス通信のために構成された別の装置を提供する。装置は、少なくとも１つのデータユニットを第２の装置に送信するように構成された送信機と、第２の装置によって送信された少なくとも１つのインジケーションを受信するように構成された受信機と、ここにおいて、少なくとも１つのインジケーションは、少なくとも１つのデータユニットがその少なくとも１つのデータユニットの送信の間に干渉を受けたかどうかを示す、その少なくとも１つのインジケーションに基づいて、少なくとも１つの他データユニットをその装置から第２の装置に送信するための少なくとも１つの送信パラメータを決定するように構成された処理システムとを備える。
【００１９】
[0019]本開示のさらなる態様は、ワイヤレス通信の別の方法を提供する。方法は、少なくとも１つのデータユニットを第１の装置から第２の装置に送信することと、第２の装置によって送信された少なくとも１つのインジケーションを第１の装置において受信することと、ここにおいて、少なくとも１つのインジケーションは、少なくとも１つのデータユニットがその少なくとも１つのデータユニットの送信の間に干渉を受けたかどうかを示す、その少なくとも１つのインジケーションに基づいて、少なくとも１つの他のデータユニットを第１の装置から第２の装置に送信するための少なくとも１つの送信パラメータを決定することとを備える。
【００２０】
[0020]本開示のまたさらなる態様は、ワイヤレス通信のために構成された別の装置を提供する。装置は、少なくとも１つのデータユニットを第２の装置に送信するための手段と、第２の装置によって送信された少なくとも１つのインジケーションを受信するための手段と、ここにおいて、少なくとも１つのインジケーションは、少なくとも１つのデータユニットがその少なくとも１つのデータユニットの送信の間に干渉を受けたかどうかを示す、その少なくとも１つのインジケーションに基づいて、少なくとも１つの他データユニットをその装置から第２の装置に送信するための少なくとも１つの送信パラメータを決定するための手段とを備える。
【００２１】
[0021]本開示の追加の態様は、コンピュータ可読媒体を備える別のコンピュータプログラム製品を提供する。コンピュータ可読媒体は、少なくとも１つのデータユニットを第１の装置から第２の装置に送信することと、第２の装置によって送信された少なくとも１つのインジケーションを第１の装置において受信することと、ここにおいて、少なくとも１つのインジケーションは、少なくとも１つのデータユニットがその少なくとも１つのデータユニットの送信の間に干渉を受けたかどうかを示す、その少なくとも１つのインジケーションに基づいて、少なくとも１つの他のデータユニットを第１の装置から第２の装置に送信するための少なくとも１つの送信パラメータを決定することとを行うように実行可能なコードを備える。
【００２２】
[0022]本開示の他の態様は、別のワイヤレスデバイスを提供する。ワイヤレスデバイスは、アンテナと、少なくとも１つのデータユニットを、アンテナを介して装置に送信するように構成された送信機と、装置によって送信された少なくとも１つのインジケーションを受信するように構成された受信機と、ここにおいて、少なくとも１つのインジケーションは、少なくとも１つのデータユニットがその少なくとも１つのデータユニットの送信の間に干渉を受けたかどうかを示す、その少なくとも１つのインジケーションに基づいて、少なくとも１つの他のデータユニットをそのワイヤレスデバイスからその装置に送信するための少なくとも１つの送信パラメータを決定するように構成された処理システムとを備える。
【図面の簡単な説明】
【００２３】
[0023]本開示のこれらおよび他の例示的な態様について、以下の詳細な説明および特許請求の範囲、ならびに添付の図面において説明する。
【図１】本開示の１つまたは複数の態様が適用例を見つけ得るネットワーク環境の一例を示す図。
【図２】本開示の１つまたは複数の態様が適用例を見つけ得るネットワーク環境の別の例を示す図。
【図３】本開示のいくつかの態様による、２つの装置間の通信を示すブロック図。
【図４】本開示のいくつかの態様による、干渉のインジケーションを送信することに関する、いくつかの例示的な動作を示すフローチャート。
【図５】本開示のいくつかの態様による、干渉のインジケーションを受信することに関する、いくつかの例示的な動作を示すフローチャート。
【図６】本開示のいくつかの態様による、干渉のインジケーションを送信することに関する、いくつかの追加の例示的な動作を示すフローチャート。
【図７】本開示のいくつかの態様による、干渉のインジケーションを受信することに関する、いくつかの追加の例示的な動作を示すフローチャート。
【図８】本開示のいくつかの態様によるＡ−ＭＰＤＵパラメータフィールドを示す図。
【図９】本開示のいくつかの態様によるＶＨＴ機能情報フィールドを示す図。
【図１０】本開示のいくつかの態様によるサポートされたＭＣＳセットフィールドを示す図。
【図１１】本開示のいくつかの態様によるＨＴ拡張機能フィールドを示す図。
【図１２】本開示のいくつかの態様によるＨＴ動作情報フィールドを示す図。
【図１３】本開示のいくつかの態様によるＰｅｒ  ＴＩＤ情報サブフィールドを示す図。
【図１４】本開示のいくつかの態様によるブロックＡＣＫ（ＢＡ）起動シーケンス制御フィールド（Ｂｌｏｃｋ  ＡＣＫ（ＢＡ）を示す図。
【図１５】本開示のいくつかの態様によるＢＡ制御フィールドを示す図。
【図１６】本開示のいくつかの態様によるフレーム制御フィールドを示す図。
【図１７】本開示のいくつかの態様によるＨＴ可変ＨＴ制御フィールドのＨＴ制御ミドルサブフィールドを示す図。
【図１８】本開示のいくつかの態様によるＶＨＴ可変ＨＴ制御フィールド（ＶＨＴ  ｖａｒｉａｎｔ  ＨＴ  Ｃｏｎｔｒｏｌ  Ｆｉｅｌｄ）のＨＴ制御ミドルサブフィールドを示す図。
【図１９】本開示のいくつかの態様による、ワイヤレス通信システム内で用いられ得る装置の一例を示すブロック図。
【図２０】ワイヤレス通信を送信するために図１９の装置内で利用され得る構成要素の一例を示すブロック図。
【図２１】ワイヤレス通信を受信するために図１９の装置内で利用され得る構成要素の一例を示すブロック図。
【図２２】本開示のいくつかの態様による、通信ノード内で用いられ得る構成要素の例を示すブロック図。
【図２３】本開示のいくつかの態様による、干渉のインジケーションの使用に関する機能で構成された装置の例を示す簡素化ブロック図。
【図２４】本開示のいくつかの態様による、干渉のインジケーションの使用に関する機能で構成された装置の例を示す簡素化ブロック図。
【００２４】
[0047]慣例により、図面に示す特徴は、明快のために簡略化され、概して、一定の縮尺で描かれていない。すなわち、これらの特徴の寸法および間隔は、たいていの場合、明快のために拡張または縮小される。さらに、説明のために、図面は、概して、一般に所与の装置（たとえば、デバイス）または方法において用いられる構成要素のすべてを示しているとは限らない。最後に、本明細書および図の全体にわたって、同様の特徴を示すために同様の参照番号が使用され得る。
【発明を実施するための形態】
【００２５】
[0048]本開示の様々な態様が以下で説明される。本明細書の教示は多種多様な形態で具現化されることが可能であり、本明細書で開示されている任意の特定の構造、機能、またはその両方は代表的なものにすぎないことは明らかであろう。本明細書の教示に基づいて、本明細書で開示される態様は任意の他の態様とは独立に実装され得ること、およびこれらの態様のうちの２つ以上を様々な方法で組み合わせることができることを、当業者は諒解されよう。たとえば、本明細書に記載の態様をいくつ使用しても、装置を実装し、または方法を実践することができる。さらに、本明細書に記載の態様のうちの１つまたは複数に加えて、または、それら以外の、他の構造、機能、または構造および機能を使用して、そのような装置を実装し、またはそのような方法を実践することができる。さらに、本明細書で開示するどの態様も請求項の１つまたは複数の要素によって具現化され得る。上記の一例として、いくつかの態様では、通信の方法は、第２の装置によって送信された少なくとも１つのデータユニットを第１の装置において受信することと、少なくとも１つのデータユニットがその少なくとも１つのデータユニットの送信の間に干渉を受けたかどうかを示す、少なくとも１つのインジケーションを生成することと、その少なくとも１つのインジケーションを第１の装置から第２の装置に送信することとを備える。さらに、いくつかの態様では、少なくとも１つのインジケーションは干渉を受けたデータユニットの各々を識別する。
【００２６】
[0049]ワイヤレスネットワーク技術は、様々なタイプのワイヤレスローカルエリアネットワーク（ＷＬＡＮ）を含み得る。ＷＬＡＮは、広く使用されるネットワーキングプロトコルを用いて、近接デバイスを互いに相互接続するために使用され得る。本明細書で説明する様々な態様は、ＷｉＦｉ（登録商標）、またはより一般的には、ワイヤレスプロトコルのＩＥＥＥ  ８０２．１１ファミリの任意のメンバなどの任意の通信規格に適用することができる。
【００２７】
[0050]いくつかの態様では、ワイヤレス信号は、直交周波数分割多重（ＯＦＤＭ）、直接シーケンス拡散スペクトル（ＤＳＳＳ）通信、ＯＦＤＭ通信とＤＳＳＳ通信との組合せ、または他の方式を使用して、８０２．１１プロトコルに従って送信され得る。
【００２８】
[0051]本明細書で説明するデバイスのうちのいくつかは、さらに、多入力多出力（ＭＩＭＯ）技術を実装し、８０２．１１プロトコルの一部として実装され得る。ＭＩＭＯシステムは、データ送信用の複数（ＮT）個の送信アンテナと複数（ＮR）個の受信アンテナとを用いる。ＮT個の送信アンテナおよびＮR個の受信アンテナによって形成されるＭＩＭＯチャネルは、空間チャネルまたは空間ストリームとも呼ばれる、ＮS個の独立チャネルに分解され得、この場合、ＮS≦ｍｉｎ｛ＮT，ＮR｝である。ＮS個の独立チャネルの各々は１つの次元に対応する。複数の送信アンテナおよび受信アンテナによって作成された追加の次元数が利用された場合、ＭＩＭＯシステムは改善された性能（たとえば、より高いスループットおよび／またはより大きい信頼性）を与えることができる。
【００２９】
[0052]いくつかの実装形態では、ＷＬＡＮは、ワイヤレスネットワークにアクセスする構成要素である様々なデバイスを含む。たとえば、２つのタイプのデバイス、すなわち、アクセスポイント（「ＡＰ」）および（ステーションまたは「ＳＴＡ」とも呼ばれる）クライアントが存在する場合がある。概して、ＡＰはＷＬＡＮのためのハブまたは基地局として働き、ＳＴＡはＷＬＡＮのユーザとして働く。たとえば、ＳＴＡはラップトップコンピュータ、携帯情報端末（ＰＤＡ）、モバイルフォンなどであり得る。一例では、ＳＴＡは、インターネットまたは他のワイドエリアネットワークへの一般的接続性を得るためにＷｉＦｉ（たとえば、ＩＥＥＥ  ８０２．１１プロトコル）準拠ワイヤレスリンクを介してＡＰに接続する。いくつかの実装形態では、ＳＴＡはＡＰとして使用される場合もある。
【００３０】
[0053]アクセスポイント（「ＡＰ」）はまた、ノードＢ、無線ネットワークコントローラ（「ＲＮＣ」）、ｅノードＢ、基地局コントローラ（「ＢＳＣ」）、送受信基地局（「ＢＴＳ」）、基地局（「ＢＳ」）、送受信機機能（「ＴＦ」）、無線ルータ、無線送受信機、もしくは何らかの他の用語を備え、それらのいずれかとして実装され、またはそれらのいずれかとして知られ得る。
【００３１】
[0054]局「ＳＴＡ」はまた、アクセス端末（「ＡＴ」）、加入者局、加入者ユニット、移動局、遠隔局、遠隔端末、ユーザ端末、ユーザエージェント、ユーザデバイス、ユーザ機器、もしくは何らかの他の用語を備え、それらのいずれかとして実装され、またはそれらのいずれかとして知られ得る。いくつかの実装形態では、アクセス端末は、セルラー電話、コードレス電話、セッション開始プロトコル（「ＳＩＰ」）電話、ワイヤレスローカルループ（「ＷＬＬ」）ステーション、携帯情報端末（「ＰＤＡ」）、ワイヤレス接続機能を有するハンドヘルドデバイス、またはワイヤレスモデムに接続された何らかの他の適切な処理デバイスを備える場合がある。したがって、本明細書で教示される１つまたは複数の態様は、電話（たとえば、セルラーフォンもしくはスマートフォン）、コンピュータ（たとえば、ラップトップ）、ポータブル通信デバイス、ヘッドセット、ポータブルコンピューティングデバイス（たとえば、携帯情報端末）、エンターテインメントデバイス（たとえば、音楽デバイスもしくはビデオデバイス、または衛星ラジオ）、ゲームデバイスもしくはゲームシステム、全地球測位システムデバイス、または、ワイヤレス媒体を介して通信するように構成された任意の他の適切なデバイスに組み込まれる場合がある。
【００３２】
[0055]図１は、本開示の態様が用いられ得るワイヤレス通信システム１００の一例を示す。ワイヤレス通信システム１００は、ワイヤレス規格、たとえば８０２．１１規格に従って動作することができる。ワイヤレス通信システム１００は、ＳＴＡ１０６ａ、１０６ｂ、１０６ｃ、１０６ｄ、および１０６ｅ（総称してＳＴＡ１０６）と通信するＡＰ１０４を含み得る。
【００３３】
[0056]ＳＴＡ１０６ｅは、ＡＰ１０４と通信するのが困難な場合があるか、または範囲外にあり、ＡＰ１０４と通信することができない場合がある。したがって、別のＳＴＡ１０６ｄは、ＳＴＡ１０６ｅとＡＰ１０４との間の通信を中継する中継デバイス（たとえば、ＳＴＡ機能とＡＰ機能とを備えたデバイス）として構成され得る。
【００３４】
[0057]様々なプロセスおよび方法は、ＡＰ１０４とＳＴＡ１０６との間のワイヤレス通信システム１００における送信に使用される場合がある。たとえば、信号は、ＯＦＤＭ／ＯＦＤＭＡ技法に従って、ＡＰ１０４とＳＴＡ１０６との間で送受信される場合がある。この場合、ワイヤレス通信システム１００は、ＯＦＤＭ／ＯＦＤＭＡシステムと呼ばれる場合がある。代替として、信号は、ＣＤＭＡ技法に従って、ＡＰ１０４とＳＴＡ１０６との間で送受信される場合がある。この場合、ワイヤレス通信システム１００は、ＣＤＭＡシステムと呼ばれる場合がある。
【００３５】
[0058]ＡＰ１０４からＳＴＡ１０６のうちの１つまたは複数への送信を容易にする通信リンクはダウンリンク（ＤＬ）１０８と呼ばれる場合があり、ＳＴＡ１０６のうちの１つまたは複数からＡＰ１０４への送信を容易にする通信リンクはアップリンク（ＵＬ）１１０と呼ばれる場合がある。代替として、ダウンリンク１０８は順方向リンクまたは順方向チャネルと呼ばれる場合があり、アップリンク１１０は逆方向リンクまたは逆方向チャネルと呼ばれる場合がある。
【００３６】
[0059]ＡＰ１０４は、基地局として働き、基本サービスエリア（ＢＳＡ）１０２においてワイヤレス通信カバレージを提供することができる。ＡＰ１０４は、ＡＰ１０４に関連付けられる、また通信のためにＡＰ１０４を使用するＳＴＡ１０６とともに、基本サービスセット（ＢＳＳ）と呼ばれ得る。ワイヤレス通信システム１００は、中央ＡＰ１０４を有しないことがあり、むしろ、ＳＴＡ１０６間のピアツーピアネットワークとして機能し得ることに留意されたい。したがって、本明細書で説明するＡＰ１０４の機能は、ＳＴＡ１０６のうちの１つまたは複数によって代替的に実行され得る。また、上で述べたように、中継は、ＡＰおよびＳＴＡの機能のうちの少なくともいくつかを組み込むことが可能である。
【００３７】
[0060]アクセスポイント１０４ａは、ワイヤレス通信システム１００内でコンテンション期間またはコンテンションフリー期間のいずれかの間にステーション１０６ｂと通信することができる。ワイヤレス通信システム１００に関するコンテンション期間の間、ステーション１０６ｂとアクセスポイント１０４ａとの間の送信は、通信システム１００内の他のワイヤレス局からの送信と衝突する可能性がある。ワイヤレス通信システム１００の利用に応じて、衝突レートは変化し得る。ワイヤレス通信システム１００が比較的頻繁に利用されているとき、１つまたは複数の衝突を経験する送信の割合は、ワイヤレス通信システム１００があまり頻繁に利用されていないときよりも比較的より高い可能性がある。ワイヤレス通信システム１００の頻繁な利用の間に経験する衝突は、ワイヤレス通信システム１００のワイヤレスノードによるデータの受信を妨げる可能性がある。衝突を経験するいくつかのパケットは、意図された受信機によって確認されない場合がある。代替的に、複数のパケットの各々に関する受信状態を示すブロック肯定応答（ＢＡ）が受信機から送信機に送信され得る。
【００３８】
[0061]いくつかのワイヤレスメッセージの送信は、衝突以外の理由により失敗する場合がある。たとえば、ＳＴＡ１０６とＡＰ１０４との間の物理的距離は、ＳＴＡ１０６またはＡＰ１０４のいずれかの送信電力に対して大きい可能性がある。送信された信号が受信機において受信されるとき、その信号は弱すぎて適切に復号されない可能性がある。このタイプの送信エラーは、当技術分野で、フェージングとして知られている。フェージングを経験するパケットは、意図された受信機によって確認されない場合がある。代替的に、複数のパケットの各々に関する受信ステーションを示すブロック肯定応答が受信機によって元の送信機に送信され得る。
【００３９】
[0062]１つまたは複数のパケットの不成功な送信に応答して、送信機は、その受信機との通信を改善するのを試みる際に送信パラメータを調整することができる。たとえば、送信機は、変調およびコーディング方式（ＭＣＳ）を下げて、パケット持続期間を延長することができる。送信問題がフェージングによる場合、これは、弱い送信信号を受信する受信機がより低いＭＣＳで送信されたワイヤレスメッセージを復号する能力を改善することができる。送信問題が衝突による場合、より長いパケットは衝突による中断をより受けやすいため、ワイヤレスメッセージの送信時間を延長することは、頻繁に利用されるネットワークに関する送信問題を悪化させる可能性がある。
【００４０】
[0063]図２は、本開示の態様が用いられ得るワイヤレス通信システム１５０の一例を示す。ワイヤレス通信システム１５０は、ワイヤレス規格、たとえば８０２．１１規格に従って動作することができる。ワイヤレス通信システム１５０は、図１に示したワイヤレス通信システム１００と、第２のワイヤレス通信システム１０１とを含む。ワイヤレス通信システム１５０は、ワイヤレス通信システム１００内のＳＴＡ１０６ａ〜ｅ、およびワイヤレス通信システム１０１内のそれぞれＳＴＡ１０６ｆ〜ｊ（総称してＳＴＡ１０６）と通信するＡＰ１０４ａ〜ｂを含む。
【００４１】
[0064]ステーション１０６ｂは、ＡＰ１０４ａに関連付けられ、ＡＰ１０４ａと通信するが、アクセスポイント１０４ｂの送信範囲内にもある。ステーション１０６ｆは、ＡＰ１０４ｂに関連付けられ、ＡＰ１０４ｂと通信するが、アクセスポイント１０４ａの送信範囲内にもある。
【００４２】
[0065]上で論じたように、ステーションは、コンテンション期間の間、またはコンテンションフリー期間の間、アクセスポイントと通信することができる。ワイヤレス通信システム１００のコンテンションフリー期間の間、通信システム１００のデバイスからの他の送信との衝突は、一般に、生じない。しかしながら、ステーション１０６ｂはＡＰ１０４ｂの送信範囲内にあるため、ステーション１０６ｂは、ワイヤレス通信システム１５０からの送信により、コンテンションフリー期間の間、パケット衝突を経験する可能性がある。通信システム１０１の利用に応じて、ＡＰ１０４ｂによる送信の頻度は変化し得る。ワイヤレス通信システム１０１が頻繁に利用されている場合、ステーション１０６ｂは、ワイヤレス通信システム１００のコンテンションフリー期間の間ですら、ＡＰ１０４ｂの送信から生じる衝突を経験する可能性がある。
【００４３】
[0066]パケットロスに応答して、ＡＰ１０４ａはその送信パラメータを調整することができる。場合によっては、しかしながら、そのような調整は追加の衝突の尤度を高める可能性がある。たとえば、ＡＰ１０４ａとＳＴＡ１０６ｂとの間でコンテンションフリー期間の間に送信されたパケットがＡＰ１０４ｂからの送信と衝突する場合、ＡＰ１０４ａは、フェージングによりその送信が失敗したと仮定することができる。したがって、ＡＰ１０４ａは、ＭＣＳを下げて、パケットの送信期間を延長することができる。しかし、これは、ワイヤレス通信システム１０１が頻繁に利用されている場合は特に、そのパケットの再送信がＡＰ１０４ｂからの送信とやはり衝突する尤度を高める可能性がある。したがって、ワイヤレス通信システム内のパケット衝突に対応するための改善された技法が所望される。
【００４４】
[0067]図３を参照すると、本開示は、いくつかの態様では、ワイヤレスネットワーク上の通信が、衝突、または、第１の装置３０２が（たとえば、少なくとも１つのデータユニットを備える）メッセージ３０６を第２の装置３０４に送信するときに生じる他の干渉形態による送信エラーを経験するのを改善することに関する。続く論述では、第１の装置３０２は当該データユニットを送信するため、送信機と呼ばれる場合があるのに対して、第２の装置３０４は当該データユニットを受信するため、受信機と呼ばれる場合がある。
【００４５】
[0068]メッセージ３０６の受信時に、第２の装置３０４（受信機）は、受信されたメッセージ３０６に伴う何らかの問題の性質を決定することができる。たとえば、第２の装置３０４は、メッセージ３０６がシンボル３０８によって表された干渉（たとえば、バースト干渉）を受けたかどうかを決定することができる。第２の装置３０４は、その干渉の結果として何らかのパケットエラーが存在したかどうかを決定することもできる。この目的で、装置３０４は、着信信号に関連する干渉を検出し、干渉が検出された場合、この干渉のインジケーションを生成する干渉検出器兼干渉インジケーション生成器３１０を含む。
【００４６】
[0069]第２の装置３０４は、次いで、メッセージ３０６が干渉を受けたかどうかを示すメッセージ３１２を第１の装置３０２（送信機）に送信することができる。いくつかの実装形態では、メッセージ３１２は、メッセージ３０６が干渉により引き起こされたエラーを含んでいたかどうかをやはり示す。
【００４７】
[0070]この干渉インジケーションを受信すると、第１の装置３０２は、後続の送信のための１つまたは複数の送信パラメータを選択する。この目的で、第１の装置３０２は、メッセージ３０６が干渉を受けたかどうかに応じて、送信レート（たとえば、ＭＣＳ）および／または他の送信パラメータを選択（たとえば、適応）する干渉ベースの送信パラメータ選択器３１４を含む。たとえば、パケットエラーが干渉によるとき、ＭＣＳを下げること、およびパケット送信の長さを延ばすことは、頻繁に利用されるワイヤレスネットワーク内またはワイヤレス媒体内の送信問題を悪化させる可能性があるため、第１の装置３０２（送信機）はこれらのアクションを行うことができない。したがって、送信されたデータが干渉を受けたかどうかに関するインジケーションを第１の装置３０２にフィードバックすることによって、第１の装置３０２は、送信パラメータが、パケットが正確に受信されたか、または受信されなかったかだけに基づいて適応される従来の適応方式と比較して、送信パラメータのその適用を改善することができる。
【００４８】
[0071]データユニットが干渉を受けたかどうかを示すために、様々なタイプのインジケーション（たとえば、メトリック）が受信機によって送信され得る。いくつかの態様では、そのようなインジケーションは、データユニットがチャネルフェージングまたは干渉により失われたかどうかを示すことができる。
【００４９】
[0072]いくつかの実装形態では、干渉インジケーションは、パケットが干渉を受けたことを示す。たとえば、このインジケーションは、受信されたパケットが、送信の間の何らかの時点で干渉を経験したかどうかを示す、１つのビットを備え得る。したがって、パケット内のデータユニットのうちのいずれか１つが干渉を受けた場合、このビットが設定され得る。この場合、このインジケーションは、いくつのデータユニット、またはどのデータユニットが干渉を受けたかを示さない。
【００５０】
[0073]いくつかの実装形態では、干渉インジケーションは、特定のデータユニットが干渉を受けたことを示す。たとえば、このインジケーションは、データユニット当たり１ビットを備え、この場合、各ビットは、対応するデータユニットが干渉を経験したかどうかを示す。このインジケーションとともに、データユニットが失われたか否かを示す（たとえば、ブロックＡＣＫビットマップによって示される）別のインジケーションが提供され得る。いくつかの態様では、「失われた」データユニットは、送信機によって送信されたが、受信機によって「成功裏に」受信されなかったデータユニットに対応し得る。
【００５１】
[0074]いくつかの実装形態では、干渉インジケーションは、特定のデータユニットが干渉により失われたことを示す。たとえば、このインジケーションは、データユニット当たり１ビットを備え、この場合、各ビットは、対応する失われたデータユニットが干渉を経験したかどうかを示す。このインジケーション形態はすべてのシナリオで機能するとは限らない。たとえば、場合によっては、受信機は、ＭＰＤＵのうちの１つまたは複数が失われた場合、ＭＰＤＵのいくつが受信されたパケット内にあったかを決定することが可能でない場合がある。
【００５２】
[0075]いくつかの実装形態では、干渉インジケーションは、物理レイヤに対するインジケーションを提供する。たとえば、このインジケーションは、パケットがシンボルＸおよび／または時間Ｙにおいて干渉を経験し始めたことを示す、Ｎ個のビットを備え得る。別の例として、このインジケーションは、パケットがＸシンボルに関しておよび／または時間持続期間Ｙの間に干渉を経験したことを示す、Ｎ個のビットを備え得る。
【００５３】
[0076]いくつかの実装形態では、干渉インジケーションは、干渉の強度のインジケーションを提供する。たとえば、干渉インジケーションは、干渉が検出された時間間隔の間に経験された信号対雑音干渉比（ＳＩＮＲ）を表し得る。別の例として、干渉インジケーションは、干渉が検出された時間間隔の間のＳＩＮＲと干渉が検出されなかった時間間隔の間のＳＩＮＲとの間の差を表し得る。このインジケーションは、干渉の強さ（強度）をｄＢまたは何らかの他の適切な測定単位で表し得る。さらに、干渉の強さは（たとえば、５ｄＢの段階を用いて）量子化され得る。
【００５４】
[0077]送信機は、以下の送信においてＭＣＳを下げるかどうかを決定するためにこのインジケーションを使用することができる。たとえば、干渉は破壊的である可能性があるため、干渉が非常に強い場合、ＭＣＳを下げることは有益でない場合がある。代替的には、低振幅の干渉の場合、ＭＣＳを下げることは、より低い送信レートでではあるが、結果として、データの成功裏の受信につながり得る。
【００５５】
[0078]干渉インジケーション（たとえば、メトリック）を受信機から送信機に送るために、様々なタイプのシグナリングが使用され得る。干渉インジケーションのシグナリングは、新しいメッセージを定義することによって、または既存のメッセージを修正することによって、達成され得る。たとえば、そのようなインジケーションをサポートする新しい標準化メッセージが定義され得る。別の例として、インジケーションをサポートするために、標準化メッセージに対して変更が行われ得る。さらに別の例として、（たとえば、所有権ソリューションの場合）インジケーションは既存のメッセージ内に「隠されること」が可能である。
【００５６】
[0079]干渉インジケーションは、様々な時点で送信され得る。場合によっては、インジケーションは各パケットにフィードバックされ得る。場合によっては、インジケーションはアグリゲートされた形態でフィードバックされ得る。たとえば、そのようなインジケーションは、データユニットのうちのいくつが、またはどの割合のデータユニットが干渉を受けたかを示すことができる。
【００５７】
[0080]インジケーションシグナリング（たとえば、メトリックシグナリング）とともに、何らかのタイプの機能交換が送信機と受信機との間で用いられることが可能である。すなわち、送信機は、受信機からのインジケーションを予想するかどうかを知る必要がある。同様に、受信機は、送信機が受信機によって送られたインジケーションに基づいて行動することになるかどうかを知る必要がある。
【００５８】
[0081]機能交換に含まれる情報は、いくつかの態様では、使用されるシグナリングのタイプに依存し得る。インジケーションシグナリングに関する新しいメッセージが定義される場合、機能交換は、送信機がそのようなメッセージを受信する能力、および受信機がそのようなメッセージを送信する能力を示すことができる。既存のメッセージ（たとえば、フレーム）内に情報が「隠されている」場合、機能交換は、その情報がどこにあるか、およびその情報をどのように解析するかを示すことができる。
【００５９】
[0082]場合によっては、インジケーションシグナリングの様式は、送信機および／または受信機の機能に基づいて適応され得る。たとえば、これが送信機および受信機によってサポートされる場合、インジケーションは各ＡＣＫまたはブロックＡＣＫ（ＢＡ）とともに送り戻され得る。別の例では、これが送信機および受信機によってサポートされる場合、インジケーションは要求に応答してオンデマンドで送られ得る。
【００６０】
[0083]上記のことに留意して、本明細書の教示による、干渉をインジケーションするとともに実行され得る動作の例が図４〜図７のフローチャートを参照してより詳細に説明される。例示のために、説明する動作は、特定の装置によって実行されるとして説明される場合がある。しかしながら、これらの動作は、異なる実装形態において異なるタイプの装置によって実行され得ることを諒解されたい。また、本明細書で説明する動作のうちの１つまたは複数は、所与の実装形態では用いられないことがある。
【００６１】
[0084]図４は、本開示のいくつかの態様による、干渉インジケーションを生成および送信するための動作を含む方法４００を示す。いくつかの態様では、方法４００は、第２の装置からデータユニットを受信し、適用可能な場合、干渉インジケーションを第２の装置に送信し戻す第１の装置によって実行され得る。いくつかの態様では、方法４００は、図３に示す装置３０２および／または装置３０４によって実行され得る。他の態様では、方法４００は、処理システム（たとえば、図１９の処理システム１９０４）によって実行され得る。当然、本開示の範囲内の様々な態様では、方法４００は、干渉関連動作をサポートできる任意の適切な装置によって実装され得る。
【００６２】
[0085]ブロック４０２によって表されるように、何らかの時点で、第１の装置は、第２の装置によって送信された少なくとも１つのデータユニットを受信する。たとえば、第２の装置は、１つまたは複数のデータユニットを含むパケットを送信することができる。したがって、第１の装置は、ある場合には、単一のデータユニットを（たとえば、パケット内で）受信することができるのに対して、別の場合には、第１の装置は、複数のデータユニットを（たとえば、１つまたは複数のパケット内で）受信することができる。
【００６３】
[0086]いくつかの実装形態では、各データユニットは、一意に識別可能なデータのセットを備え得る。たとえば、各データユニットは、パケット内の（たとえば、他のデータユニットからの）他の情報から記述され得る。この記述は、たとえば、各データユニットに関するビット位置の特定のセットを定義することによって、知られているビット記述ビットパターンを使用することでデータユニットを分離することによって、または何らかの他の適切な記述によって、達成され得る。
【００６４】
[0087]ブロック４０４によって表されるように、第１の装置は、ブロック４０２において受信された少なくとも１つのデータユニットが第２の装置から第１の装置へのその少なくとも１つのデータユニットの送信の間に干渉を受けたかどうかを決定する。この決定とともに、第１の装置は、少なくとも１つのデータユニットが干渉を受けたかどうかを示す、少なくとも１つのインジケーションを生成する。
【００６５】
[0088]ここで生成される干渉のインジケーションは様々な形態をとり得る。いくつかの例を以下に示す。
【００６６】
[0089]いくつかの実装形態では、複数のデータユニットの送信の間の何らかの時点で干渉が生じたことを示すために、単一のインジケーションが使用される。たとえば、複数のデータユニットを含むパケットの送信の間に干渉が生じたことを示すために、ビットが使用され得る。
【００６７】
[0090]ブロック４０２において複数のデータユニットが受信された場合、ブロック４０４の少なくとも１つのインジケーションは干渉を受けたデータユニットの各々を識別することができる。たとえば、４つのデータユニットを有するパケットの場合、個々のベースで、干渉を受けたデータユニットを示すために４つのビットが使用され得る。すなわち、データユニットとビットとの間に１対１の対応が存在し、各データユニットはそれらのビットのうちの一意の１つに関連付けられる。したがって、いくつかのシナリオでは、ブロック４０４の動作は複数のインジケーションの生成に関与する。
【００６８】
[0091]いくつかの実装形態では、少なくとも１つのインジケーションの生成は、データユニットのうちいくつが干渉を受けたかに関する情報を累積することと、累積された情報に基づいてメトリックを生成することとを備える。たとえば、そのようなインジケーションは、データユニットのうちいくつが干渉を受けたかを示すカウントを備え得る。代替的には、そのようなインジケーションは、データユニットのうちの何割が干渉を受けたかを示すメトリックを備え得る。
【００６９】
[0092]いくつかの実装形態では、少なくとも１つのデータユニットがその少なくとも１つのデータユニットの送信の間に干渉を受けた場合、少なくとも１つのインジケーションの生成は、少なくとも１つの振幅の干渉を測定することと、測定された少なくとも１つの振幅の干渉に基づいて、少なくとも１つのメトリックを生成することとを備え得る。いくつかの態様では、少なくとも１つのメトリックは、干渉を受けた少なくとも１つのデータユニットに関して測定されたＳＩＮＲ、または、干渉を受けた少なくとも１つのデータユニットに関して測定されたＳＩＮＲと何の干渉も検出されない時間期間の間に測定されたＳＩＮＲとの間のＳＩＮＲ差のうちの少なくとも１つを備え得る。
【００７０】
[0093]干渉検出が物理レイヤにおいて実行される実装形態では、ブロック４０４のインジケーションは、物理レイヤ関連情報を提供し得る。たとえば、少なくとも１つのデータユニットは複数のシンボルを備え得る。この場合、少なくとも１つのインジケーションは干渉を受けたシンボルのうちの少なくとも１つを示す（たとえば、識別する）ことができる。別の例として、少なくとも１つのインジケーションは干渉を受けたシンボルの量を示す（たとえば、識別する）ことができる。
【００７１】
[0094]いくつかの実装形態では、動的なビットマップが用いられ得る。たとえば、所与のインジケーション内のビットの数は、（たとえば、最後のパケット内の、最後の１０個のパケット内の、最後の瞬間内のなど）干渉を受けたデータユニットの数に対応し得る。
【００７２】
[0095]受信されたデータブロックが干渉を受けたかどうかを決定するために、様々な技法が用いられ得る。
【００７３】
[0096]いくつかの実装形態では、干渉検出は物理レイヤにおいて実行される。この場合、送信の間、データユニットは、複数のシンボルを備える（たとえば、データユニット情報は複数のシンボルによって搬送される）ことを諒解されたい。したがって、第１の装置は、これらのシンボルのうちのいずれかが干渉を受けたかどうかを決定することができる。この決定は、干渉を受けた特定のシンボル、干渉を受けたシンボルの数、干渉を受けたシンボルの割合などを識別することに関与し得る。また、干渉のタイミング（たとえば、干渉が生じた時間、干渉がどれだけ長く続いたかなど）に関する情報が維持され得る。
【００７４】
[0097]受信されたデータブロックまたはシンボルのセットが干渉を受けたかどうかを決定するために、受信された信号を処理するための様々なアルゴリズムが用いられ得る。そのようなアルゴリズムのいくつかの例を以下に示す。
【００７５】
[0098]第１の例示的なアルゴリズムでは、干渉検出は、パイロットチャネルに関する位相および／または周波数のオフセットを追跡することと、追跡された位相および／または周波数のオフセットに基づいてデータチャネルに補正を加えることと、追跡された位相および／または周波数のオフセットに基づいて、バースト的な干渉を検出することとに関与する。
【００７６】
[0099]最初に、第１の装置は、パイロットチャネルに関する位相および／または周波数のオフセットを追跡する。たとえば、第１の装置は、第２の装置から受信されたＯＤＦＭ信号内のパイロットトーンに基づいて、位相内の変化を示す位相オフセットを推定することができる。第１の装置はまた、受信された信号および／またはパイロットトーンに基づいて周波数オフセットを計算することができる。
【００７７】
[00100]次に、第１の装置は、追跡された位相および／または周波数のオフセットに基づいてデータチャネルに補正を加える。たとえば、第１の装置は、上で追跡されたオフセットを消去するために計算された補正をデータチャネルに加えることができる。信号伝搬はパイロットトーンおよびデータに関して類似し得るため、知られているパイロットローンに関して決定されるオフセットがデータに加えられ得る。
【００７８】
[00101]最後に、第１の装置は、追跡された位相および／または周波数のオフセットに基づいて、バースト的な干渉を検出する。場合によっては、バースト的な干渉は、オフセットを通常よりもさらに大きくする可能性がある。したがって、第１の装置は、周波数オフセットをバースト的な干渉を示すしきい値と比較することができる。たとえば、周波数オフセットが１ｋＨｚを超えるとき、第１の装置は、バースト的な干渉が存在すると決定することができる。場合によっては、第１の装置は、位相オフセットをバースト的な干渉を示すしきい値と比較する。
【００７９】
[00102]第２の例示的なアルゴリズムでは、干渉検出は、メッセージに関するエラーおよび強度メトリックスを追跡することと、そのエラーおよび強度メトリックスに基づいて、バースト的な干渉を検出することとに関与する。
【００８０】
[00103]最初に、第１の装置は、データユニットに関するエラーおよび強度メトリックスを追跡する。たとえば、第１の装置は、第２の装置から受信されたＭＰＤＵに関する受信（ＲＸ）エラーベクトル振幅（ＥＶＭ）を追跡することができる。場合によっては、第１の装置は、理想的なコンステレーション点と復号されたコンステレーション点との間の２乗平均（ＲＭＳ）距離に基づいてＭＰＤＵを復号する間にＲＸ  ＥＶＭを推定することができる。第１の装置は、受信された信号強度インジケーション（ＲＳＳＩ）および／またはノイズフロアをさらに追跡することができる。
【００８１】
[00104]バースト的な干渉が存在しない場合、エラーメトリックは強度メトリックに比例し得る。たとえば、ＲＸ  ＥＶＭは、（いくつかの実装形態では、ノイズフロアに対して定義され得る）ＲＳＳＩに正比例（または、反比例）し得る。すなわち、バースト的な干渉がない場合、弱いＲＳＳＩは不十分なＲＸ  ＥＶＭに一致し得る。他方で、強いバースト的な干渉が存在する場合、強度メトリックが高い強度を示す間ですら、エラーメトリックは高い誤り率を示し得る。たとえば、ＲＳＳＩが高い信号強度を示すとき、ＥＸ  ＥＶＭは高い誤り率を示し得る。
【００８２】
[00105]次に、第１の装置は、エラーメトリックと強度メトリックとの間の比率を計算して、その結果をしきい値と比較することができる。場合によっては、第１の装置は、エラーメトリックと強度メトリックとの間の比率を計算して、そこからノイズフロアを差し引くことができる。（たとえば、オフセットしきい値に関して上で論じたように）しきい値は事前に決定および／または動的に決定され得る。比率がしきい値を超えるとき、第１の装置は、バースト的な干渉が存在すると決定することができる。同様に、比率がしきい値を超えないとき、第１の装置は、バースト的な干渉が存在しないと決定することができる。
【００８３】
[00106]第３の例示的なアルゴリズムでは、干渉検出は、メッセージを復号することと、復号されたメッセージを再変調することと、元の受信されたメッセージから再変調されたメッセージを消去することと、消去の結果生じる残余信号に関してパケット検出を実行することとに関与する。
【００８４】
[00107]最初に、第１の装置は、第２の装置から受信された元の信号の１つまたは複数のデータユニットを復号する。たとえば、第１の装置は、ＭＰＤＵを復号されたＭＰＤＵに復号することができる。場合によっては、バースト的な干渉は、１つまたは複数のＭＰＤＵの受信および復号の間に存在し得る。場合によっては、干渉は、ＭＰＤＵを失敗させるのに十分に強くない可能性がある。
【００８５】
[00108]次に、第１の装置は、復号されたデータユニットを再変調する。たとえば、第１の装置は、復号されたＭＰＤＵを再変調することができる。復号されたＭＰＤＵを再変調することは、（元の信号は若干異なり得るが）元の信号を再生成すること、または部分的にシミュレートすることができる。したがって、再変調されたＭＰＤＵは、元の信号が干渉なしで受信されていれば、その元の信号が何であったかを示すことができる。
【００８６】
[00109]その後、第１の装置は、元の信号から再変調されたデータユニットを消去する。たとえば、第１の装置は、第２の装置から受信された元の信号の複製を記憶して、再変調された信号を記憶された元の信号から差し引くことができる。第１の装置は、再変調されたデータユニットを部分的にまたは段階的に消去することができる。第１の装置は、消去される信号をメモリ内に記憶することもできる。
【００８７】
[00110]最後に、第１の装置は、消去の結果生じる残余信号に関してパケット検出を実行する。データユニットの送信の間に干渉が存在する場合、残余信号は少なくとも部分的に干渉を示すことができる。したがって、干渉が、別のデバイスによって送信されたパケットを含むバースト的な干渉である場合、その干渉は、そのデータがパケットの一部であるというインジケーション、たとえば、プリアンブル、ガードインターバルなどを含み得る。
【００８８】
[00111]第１の装置が、その残余信号が衝突パケットを含むというインジケーション（たとえば、プリアンブルまたはガードインターバル）を検出する場合、第１の装置は、受信の間にバースト的な干渉が存在したと決定することができる。同様に、第１の装置が、その残余信号が衝突パケットを含むというインジケーション（たとえば、プリアンブルまたはガードインターバル）を検出しない場合、第１の装置は、受信の間にバースト的な干渉が存在しなかったと決定することができる。
【００８９】
[00112]図４のブロック４０６によって表されるように、ブロック４０４において、少なくとも１つの干渉インジケーションが生成された後、第１の装置はその少なくとも１つのインジケーションを第２の装置に送信する。たとえば、このインジケーションは、前に定義されたフレームの指定されたフィールド内に含まれることが可能であるか、またはこのインジケーションを搬送するために新しいフレームが定義され得る。下で論じる図１５〜図１８は、そのようなインジケーションがＩＥＥＥ  ８０２．１１フレーム内でどのように搬送され得るかのいくつかの例を示す。
【００９０】
[00113]上で述べたように、いくつかの実装形態では、このインジケーションはビットフィールドの形態をとる。たとえば、フィールドの所与のビットは、対応するデータブロックが干渉を受けたかどうかを示すことができる。
【００９１】
[00114]そのようなインジケーションを受信する装置（上で論じた第２の装置）において実行される対応する動作が図５で説明される。図５で第１の装置および第２の装置に関する名称は、図４で使用される名称に対して反転されていることに留意されたい。すなわち、図５では、第１の装置は第２の装置から干渉インジケーションを受信する。
【００９２】
[00115]図５は、本開示のいくつかの態様による、受信された干渉インジケーションに基づいて送信パラメータを決定するための動作を含む方法５００を示す。いくつかの態様では、方法５００は、図３に示す装置３０２および／または装置３０４によって実行され得る。他の態様では、方法５００は、処理システム（たとえば、図１９の処理システム１９０４）によって実行され得る。当然、本開示の範囲内の様々な態様では、方法５００は、干渉関連動作をサポートできる任意の適切な装置によって実装され得る。
【００９３】
[00116]ブロック５０２によって表されるように、第１の装置は少なくとも１つのデータユニットを第２の装置に送信する。これらの動作は、上で論じたブロック４０２の動作と相補的である。したがって、ここで送信されるデータユニットは、上で説明した様式の形態であってよく、および／または上で説明した様式で送られてよい。
【００９４】
[00117]パケット内のデータユニットはエラー検出コードに関連付けられることが可能である。たとえば、送信機は、パケット全体をカバーするエラー検出コードを生成することができる。別の例として、パケット内のデータユニットの各々は、そのデータユニットに基づく対応するエラー検出コードに関連付けられることが可能である。すなわち、各データユニットに関して、送信機は対応するエラー検出コードを生成することができる。
【００９５】
[00118]ブロック５０４によって表されるように、第１の装置は、第２の装置によって送信された少なくとも１つのインジケーションを受信し、この場合、少なくとも１つのインジケーションは、ブロック５０２において送信された少なくとも１つのデータユニットが送信の間に干渉を受けたかどうかを示す。これらの動作は、したがって、上で論じたブロック４０６の動作と相補的である。したがって、受信されたインジケーションは、図４に関して上で説明した形態のものであり得る。
【００９６】
[00119]したがって、少なくとも１つのデータユニットが複数のデータユニットを備えるシナリオでは、少なくとも１つの干渉インジケーションは、それらのデータユニットのうちの少なくとも１つが干渉を受けたことを示すことができる。たとえば、データユニットがパケット内に含まれている場合、少なくとも１つのインジケーションは、そのパケットのデータユニットのうちの１つまたは複数が干渉を受けたことを示すことができる。
【００９７】
[00120]代替的に、少なくとも１つの干渉インジケーションは、干渉を受けたデータユニットの各々を識別することができる。たとえば、少なくとも１つの干渉インジケーションは、インジケーションとデータユニットとの間に１対１の対応が存在する複数のインジケーションを備え得る。
【００９８】
[00121]また、少なくとも１つのデータユニットが複数のデータユニットを備えるシナリオでは、少なくとも１つのインジケーションは、それらのデータユニットのうちいくつが干渉を受けたかを示す累積情報を備え得る。たとえば、そのようなカウントは、複数のデータユニットが送信される所与のパケット、いくつかのパケット、時間期間、または何らかの他のシナリオに対応し得る。
【００９９】
[00122]少なくとも１つのデータユニットがその少なくとも１つのデータユニットの送信の間に干渉を受けた状況では、少なくとも１つのインジケーションは、少なくとも１つの振幅の干渉を示す、少なくとも１つのメトリックを備え得る。たとえば、少なくとも１つのメトリックは、干渉を受けた少なくとも１つのデータユニットに関して測定されたＳＩＮＲ、または、干渉を受けた少なくとも１つのデータユニットに関して測定されたＳＩＮＲと何の干渉も検出されない時間期間の間に測定されたＳＩＮＲとの間のＳＩＮＲ差のうちの少なくとも１つを備え得る。
【０１００】
[00123]少なくとも１つのデータユニットが複数のシンボルを備えるシナリオでは、少なくとも１つのインジケーションは干渉を受けたシンボルのうちの少なくとも１つを識別することができる。代替的に、またはさらに、少なくとも１つのインジケーションは干渉を受けたシンボルの数量を識別することができる。
【０１０１】
[00124]ブロック５０６によって表されるように、第１の装置は、少なくとも１つの他のデータユニットを第１の装置から第２の装置に送信するための少なくとも１つの送信パラメータを決定する。いくつかの態様では、この決定は、ブロック５０４において受信されたインジケーションに基づく。いくつかの態様では、この決定は、変調およびコーディング方式を適応するかどうかを決定することを備える。
【０１０２】
[00125]たとえば、若干の干渉が示されたか、または干渉がまったく示されず、高いパケットロスが生じる場合、第１の装置は（たとえば、現在の変調およびコーディング方式を適応することによって）より低い送信レートを選択することができる。対照的に、かなりの干渉が示された場合、第１の装置は、干渉を緩和する措置をとる（たとえば、チャネル、タイムスロット、コーディングなどを切り替える）と同時に、現在の送信レートを維持することができる。
【０１０３】
[00126]別の例として、第１の装置のレート適応は、干渉による何らかのデータユニットの失敗を無視することができる。したがって、ロスは第１の装置にとって高く見えない。したがって、レート適応は、ロスの原因を知らない従来のレート適応アルゴリズムと比較してそれほど大きくレートを下げない可能性がある。
【０１０４】
[00127]ブロック５０６における送信パラメータの決定は、様々な実装形態において様々な形態をとり得る。第２の装置（受信機）が送信パラメータ（たとえば、ＭＣＳ）を選択して、第２の装置に送信するためにその送信パラメータを使用するように第１の装置（送信機）に伝える実装形態では、第１の装置は、干渉インジケーションが受信された場合、指定された送信パラメータを調整すること（たとえば、送信レートを下げること）ができる。
【０１０５】
[00128]第１の装置が、たとえば、第２の装置から受信されたチャネル情報（たとえば、ＳＮＲ）および／またはエラー関連情報（たとえば、データユニットが失われたかどうか）に基づいて送信パラメータ（たとえば、ＭＣＳ）を選択する実装形態では、第１の装置は、第１の装置が干渉インジケーションに基づいてこの送信パラメータを選択する様式を適応することができる。たとえば、上で論じたように、送信機は、干渉によるデータブロックロスを無視することができるか、または送信機は、干渉インジケーションが存在しないときほどレートを下げなくてよい。
【０１０６】
[00129]図６は、本開示のいくつかの態様による、干渉インジケーションを生成および送信するための追加の動作を含む方法６００を示す。いくつかの態様では、方法６００は、第２の装置からデータユニットを受信し、適用可能な場合、干渉インジケーションを第２の装置に送信し戻す第１の装置によって実行され得る。いくつかの態様では、方法６００は、図３に示す装置３０２および／または装置３０４によって実行され得る。他の態様では、方法６００は、処理システム１９０４（図１９）によって実行され得る。当然、本開示の範囲内の様々な態様では、方法６００は、干渉関連動作をサポートできる任意の適切な装置によって実装され得る。
【０１０７】
[00130]オプションのブロック６０２および６０４によって表されるように、いくつかの実装形態では、第１の装置は第２の装置との機能交換を行う。これらの装置は、たとえば、これらの装置が（たとえば、予約済みビットを使用すること、ビットを再使用することなど）非標準化シグナリングを用いる場合、そのような機能交換を行うことができる。この場合、これらの装置は、このシグナリングを使用するかどうかを合意することができ、合意する場合、シグナリングがどのように使用されるかを合意することができる。
【０１０８】
[00131]この目的で、オプションのブロック６０２によって表されるように、第１の装置は機能情報を第２の装置に送信することができる。いくつかの態様では、この機能情報は、第１の装置が、データユニットが干渉を受けるかどうかのインジケーションを送ることをサポートすることを示すことができる。
【０１０９】
[00132]いくつかの実装形態では、機能情報は、それらのインジケーションが第１の装置から第２の装置に送られたメッセージ内のどこに位置するようになるかを示す。たとえば、機能情報は、使用されるフレーム、使用されるフィールド、および使用されるビットを示すことができる。
【０１１０】
[00133]いくつかの実装形態では、機能情報は、インジケーションが、他の情報の代わりになることを示し、それは、そうでなければ、第１の装置から第２の装置へのメッセージ内で送られることになる。たとえば、機能情報は、干渉インジケーションを送るために、図１７および図１８で論じるＭＣＳ情報ビット再マッピングが使用されることを示すことができる。
【０１１１】
[00134]オプションのブロック６０４によって表されるように、第１の装置は機能情報を第２の装置から受信することができる。いくつかの態様では、この機能情報は、第２の装置が、データユニットが干渉を受けるかどうかのインジケーションを受信することをサポートすることを示すことができる。いくつかの実装形態では、ブロック６０４において受信された機能情報は、（たとえば、ブロック６０２において上で論じたのと類似の様式で）それらのインジケーションが第１の装置から第２の装置に送られたメッセージ内のどこに位置するようになることが予想されるかを示す。いくつかの実装形態では、ブロック６０４において受信された機能情報は、他の情報の代わりになることが予想されることを示し、それは、そうでなければ、（たとえば、ブロック６０２において上で論じたのと類似の様式で）それらのインジケーションが第１の装置から第２の装置へのメッセージ内で送られることになる。
【０１１２】
[00135]そのような機能交換機構が場合によっては必要とされない場合があるという意味で、ブロック６０２および６０４の動作はオプションである。たとえば、ワイヤレスシステムに関して干渉インジケーションフィードバックが標準化される場合、その標準をサポートする装置は、フィードバックを使用するために折衝する必要がない場合がある。むしろ、そのようなフィードバックの使用が予想され得る。
【０１１３】
[00136]ブロック６０６によって表されるように、何らかの時点で、第１の装置は、第２の装置によって送信された少なくとも１つのデータユニットを受信する。ブロック６０６の動作は、上で論じたブロック４０２の動作に対応し得る。
【０１１４】
[00137]オプションのブロック６０８によって表されるように、場合によっては、第１の装置は成功裏に受信されなかった何らかのデータユニットを識別する。不成功な受信は様々な形態をとり得る。
【０１１５】
[00138]部分的に受信されたデータユニットは、不成功に受信されたと見なされ得る。たとえば、データユニットのシンボルのうちのいくつかは、フェージングまたは干渉により、受信機において検出されない場合がある。
【０１１６】
[00139]データユニットはエラーを伴って受信される場合がある。たとえば、データユニットは、そのデータユニットに基づく対応するエラー検出コードに関連付けられることが可能である。受信されたデータユニットをカバーするエラー検出がエラーを示す場合、そのデータユニットは不成功に受信されていると見なされ得る。
【０１１７】
[00140]さらに別の例では、（１つまたは複数のデータユニットを備える）受信されたパケットの一部は送信の間に破損またはロスした可能性がある。したがって、パケット内のデータユニットのうちのいくつかまたはすべては、不成功に受信されたデータユニットであると見なされ得る。
【０１１８】
[00141]ブロック６１０によって表されるように、第１の装置は、ブロック６０６において受信された少なくとも１つのデータユニットが第２の装置から第１の装置へのデータユニットの送信の間に干渉を受けたかどうかを決定する。この決定とともに、第１の装置は、少なくとも１つのデータユニットが干渉を受けたかどうかを示す、少なくとも１つのインジケーションを生成する。ブロック６１０の動作は、上で論じたブロック４０４の動作に対応し得る。
【０１１９】
[00142]ブロック６１２によって表されるように、第１の装置は少なくとも１つのインジケーションを第２の装置に送信する。ブロック６１２の動作は、上で論じたブロック４０６の動作に対応し得る。
【０１２０】
[00143]いくつかの実装形態では、第１の装置はブロック６０８の動作に基づいて情報を送信する。たとえば、少なくとも１つのインジケーションは、成功裏に受信されなかったデータユニットの各々に関して、そのデータユニットが干渉を受けたかどうかを示すことができる。この場合も、この情報を提供するために、ビットマップまたは何らかの他の適切なインジケーションが用いられ得る。たとえば、所与のデータユニットに関して、第１のインジケーションは、そのデータユニットが成功裏に受信された場合を示すように提供され得、第２のインジケーションは、そのデータユニットが干渉を受けたかどうかを示すように提供され得る。別の例として、単一のインジケーションは、対応するデータブロックが干渉により成功裏に受信されなかったことを示すことができる。
【０１２１】
[00144]さらに、いくつかの実装形態では、データブロックがチャネル状態により成功裏に受信されなかったかどうかに関するインジケーションが生成されて、第２の装置に送信されることが可能である。たとえば、受信機は、劣化したチャネル状態（たとえば、受信信号に関連するＳＮＲのドロップ）が不成功なデータ受信に一致するかどうかを決定することができる。一致する場合、受信機はそういうものとして示すインジケーションを生成することができる。このインジケーションは、干渉インジケーション（たとえば、パケットに関する単一のインジケーション、個々のデータブロックに関する個々のインジケーション、もしくは何らかの他の形態のインジケーション）に関して上で論じたように、ビットマップの形態または何らかの他の適切な形態をとり得る。
【０１２２】
[00145]したがって、場合によっては、第１の装置は複数のビットフィールドを第２の装置に送信することができる。１つのビットフィールドは、データブロックが成功裏に受信されたかどうかを示すことができる。加えて、少なくとも１つの他のビットフィールドは、失敗の原因（たとえば、干渉および／またはチャネル状態）を示すことができる。
【０１２３】
[00146]やはり上で論じたように、いくつかの実装形態では、インジケーションは時間を示す。たとえば、インジケーションは干渉および／または劣悪なチャネル状態がいつ始まったかを示すことができる。別の例では、インジケーションは、干渉および／または劣悪なチャネル状態がどれだけ長く続いたかを示すことができる。そのようなタイミング情報は、（たとえば、装置によって保持された）実際の時間、相対的な時間、またはデータの送信（たとえば、一連のビット、シンボル、またはパケット内の位置など）に関し得る。
【０１２４】
[00147]いくつかの実装形態では、干渉カウント、劣悪なチャネル状態カウント、または対応するインジケーションはアグリゲートされ得る。したがって、アグリゲーションが完了すると、アグリゲーションインジケーションが送られ得る。たとえば、アグリゲーションインジケーションは、指定された時間（たとえば、周期的）、指定された量のデータが送られた後（たとえば、１００個のパケットごと）、指定された数のトリガイベントが生じた後（たとえば、２０個の干渉のインスタンスが検出された後）などに送られ得る。
【０１２５】
[00148]図７は、本開示のいくつかの態様による、受信された干渉インジケーションに基づいて送信パラメータを決定するための追加の動作を含む方法７００を示す。いくつかの態様では、方法７００は、図３に示す装置３０２および／または装置３０４によって実行され得る。他の態様では、方法７００は、処理システム（たとえば、図１９の処理システム１９０４）によって実行され得る。当然、本開示の範囲内の様々な態様では、方法７００は、干渉関連動作をサポートできる任意の適切な装置によって実装され得る。
【０１２６】
[00149]図５の方法５００にあるように、方法７００は、第２の装置から干渉インジケーションを受信する第１の装置のコンテキストで例示的な動作を説明する。したがって、図７の第１の装置および第２の装置に関する名称は、図６で使用される名称に対して反転される。
【０１２７】
[00150]オプションのブロック７０２および７０４によって表されるように、いくつかの実装形態では、第１の装置は第２の装置との機能交換を行う。したがって、ここで、第１の装置によって実行される動作は、ブロック６０２および６０４に関して上で説明した動作と相補的である。
【０１２８】
[00151]オプションのブロック７０２によって表されるように、第１の装置は、機能情報を第２の装置に送信することができ、この場合、機能情報は、第１の装置が、データユニットが干渉を受けるかどうかのインジケーションを受信することをサポートすることを示す。さらに、機能情報は、それらのインジケーションが第２の装置から第１の装置に送られるメッセージ内のどこに位置するようになるかを示すことができる。また、機能情報は、インジケーションが他の情報の代わりになることを示すことができ、それは、そうでなければ、第２の装置から第１の装置へのメッセージ内で送られることになる。
【０１２９】
[00152]同様に、オプションのブロック７０４によって表されるように、第１の装置は第２の装置によって送信された機能情報を受信することができ、この場合、機能情報は、第２の装置が、データユニットが干渉を受けるかどうかのインジケーションを送信することをサポートすることを示す。受信された機能情報は、それらのインジケーションが第２の装置から第１の装置に送られるメッセージ内のどこに位置するようになるかを示すことができる。さらに受信された機能情報は、インジケーションが他の情報の代わりになることを示すことができ、それは、、そうでなければ、第２の装置から第１の装置へのメッセージ内で送られることになる。
【０１３０】
[00153]ブロック７０６によって表されるように、第１の装置は少なくとも１つのデータユニットを第２の装置に送信する。ブロック７０６の動作は、上で論じたブロック５０２の動作に対応し得る。
【０１３１】
[00154]ブロック７０８によって表されるように、第１の装置は、第２の装置によって送信された少なくとも１つのインジケーションを受信し、この場合、少なくとも１つのインジケーションは、その少なくとも１つのデータユニットが送信の間に干渉を受けたかどうかを示す。ブロック７０８の動作は、上で論じたブロック５０４の動作に対応し得る。
【０１３２】
[00155]オプションのブロック７１０によって表されるように、場合によっては、第１の装置は、いくつのデータユニットが第２の装置によって成功裏に受信されなかったかを示す情報も受信する。これらの動作は、したがって、オプションで、データユニットが成功裏に受信されたかどうかを決定して、それに応じて、インジケーションを生成することを説明するブロック６０８および６１０の動作と相補的である。
【０１３３】
[00156]オプションのブロック７１２によって表されるように、ブロック７１０の情報が第１の装置によって受信される場合、第１の装置は、オプションで、データユニットのうちいくつが干渉により成功裏に受信されなかったか、およびデータユニットのうちいくつがチャネル状態（たとえば、フェージング）により成功裏に受信されなかったかを決定することができる。本明細書で論じたように、この情報は、多いパケットロスに対して送信レートが下げられるべきかどうかに関してより良好な決定を行うために送信機によって使用され得る。特に、不成功な受信が主に干渉による場合、レートを下げることは要求されない場合がある。
【０１３４】
[00157]ブロック７１４によって表されるように、第１の装置は少なくとも１つの他のデータユニットを第１の装置から第２の装置に送信するための少なくとも１つの送信パラメータを決定する。いくつかの態様では、この決定は、ブロック７０８において受信されたインジケーションに基づく。ブロック７１４の動作は、上で論じたブロック５０６の動作に対応し得る。
【０１３５】
[00158]いくつかの態様では、ブロック７１４の決定は、ブロック７１０において受信された情報に基づく。たとえば、第１の装置が、いくつのデータユニットが第２の装置によって成功裏に受信されなかったかを示す情報を受信するシナリオでは、第１の装置は、それらの失敗の重大度に関して決定して、（たとえば、上で論じたように）それに応じて、送信パラメータを調整することができる。
【０１３６】
[00159]また、このシナリオでは、ブロック８０８において受信された少なくとも１つのインジケーションは、成功裏に受信されなかったデータユニットの各々に関して、そのデータユニットが干渉を受けたかどうかを示すことができる。したがって、第１の装置は、干渉による受信失敗の範囲を決定して、それに応じて、送信パラメータを調整することができる。たとえば、小数の受信失敗だけが干渉による場合、第１の装置はレートを下げることができる。反対に、多数の受信失敗が干渉による場合、第１の装置は干渉を緩和する措置をとることができる。
【０１３７】
[00160]いくつかの実装形態では、ブロック７１４の決定は、ブロック７１２の決定に基づく。たとえば、第１の装置が、いくつのデータユニットが干渉により第２の装置によって成功裏に受信されなかったか、およびいくつのデータユニットがチャネル状態により第２の装置によって成功裏に受信されなかったかを示す情報を受信するシナリオでは、第１の装置は、任意の干渉の重大度に関して決定して、（たとえば、上で論じたように）それに応じて、送信パラメータを調整することができる。
【０１３８】
[00161]図８〜図１８は、上で論じた干渉インジケーション、メトリックス、機能情報、および他の情報が１つまたは複数の既存のフレーム内でどのように搬送され得るかのいくつかの例を示す。図８〜図１４は、機能情報が既存のＩＥＥＥ  ８０２．１１ベースのフレームを介してどのように搬送され得るかのいくつかの例を示す。図１５〜図１８は、干渉インジケーション（たとえば、メトリック）が既存のＩＥＥＥ  ８０２．１１ベースのフレームを介してどのように搬送され得るかのいくつかの例を示す。
【０１３９】
[00162]機能情報は、本明細書で教示する干渉シグナリングをサポートするＳＴＡに関するビーコンまたはプローブ要求応答の中に含まれることになる新しい情報要素（ＩＥ）内で搬送され得る。また、機能情報は、高スループット（ＨＴ）または超高スループット（ＶＨＴ）機能予約済みビット内の既存の機能インジケーション内で搬送され得る。この情報は、たとえば、送信機および受信機に関する関連付けにおいて交換され得る。
【０１４０】
[00163]図８に示すように、機能情報ＩＥ８０２は、Ａ−ＭＰＤＵパラメータフィールドに関して定義された予約済みビットのうちの１つまたは複数の中で搬送され得る。たとえば、機能情報は、ビット５、６、または７のうちの１つもしくは複数の中で搬送され得る。
【０１４１】
[00164]図９に示すように、機能情報ＩＥ９０２は、ＶＨＴ機能情報フィールドに関して定義された予約済みビットのうちの１つまたは複数の中で搬送され得る。たとえば、機能情報は、ビット３０または３１のうちの１つもしくは複数の中で搬送され得る。
【０１４２】
[00165]図１０に示すように、機能情報ＩＥ１００２および／または機能情報ＩＥ１００４は、サポートされるＭＣＳセットフィールドに関して定義された予約済みビットのうちの１つまたは複数の中で搬送され得る。たとえば、機能情報は、ビット９０〜９５のうちの１つもしくは複数および／またはビット１０１〜１２７のうちの１つもしくは複数の中で搬送され得る。
【０１４３】
[00166]図１１および図１２を参照すると、機能情報は、既存のＨＴ拡張機能内の予約済みビット内で搬送され得る。この場合も、この情報は関連付けにおいて交換され得る。
【０１４４】
[00167]図１１に示すように、機能情報ＩＥ１１０２および／または機能情報ＩＥ１１０４は、ＨＴ拡張機能フィールドに関して定義された予約済みビットのうちの１つまたは複数の中で搬送され得る。たとえば、機能情報は、ビット３〜７のうちの１つもしくは複数および／またはビット１２〜１５のうちの１つもしくは複数の中で搬送され得る。
【０１４５】
[00168]図１２に示すように、１つもしくは複数の機能情報ＩＥ１２０２、１２０４、１２０６、１２０８、または１２１０は、ＨＴ動作情報フィールドに関して定義された予約済みビットのうちの１つもしくは複数内で搬送され得る。たとえば、機能情報は、以下のビット、すなわち、ビット４〜７、ビット１１、ビット１３〜２３、ビット２４〜２９、またはビット３６〜３９のうちのいずれかの１つもしくは複数の中で搬送され得る。
【０１４６】
[00169]機能情報は、（たとえば、シーケンス制御フィールド内の）追加ブロックＡＣＫ（ＡＤＤＢＡ）フレーム内の再解釈されたフィールド内で搬送され得る。シーケンス制御フィールドは、下の図１４で説明するブロックＡＣＫ要求（ＢＡＲ）におけるのと同じフォーマットを有する。
【０１４７】
[00170]機能情報は、マルチトラフィック識別子（ｍｕｌｔｉ−ＴＩＤ）ＢＡＲ内のＰｅｒ−ＴＩＤ予約済みフィールドに基づいて、オンデマンドで送られることが可能である。たとえば、図１３に示すように、機能情報ＩＥ１３０２は、Ｐｅｒ  ＴＩＤ情報サブフィールドに関して定義された予約済みビットのうちの１つまたは複数内で搬送され得る。たとえば、機能情報は、ビット０〜１１のうちの１つまたは複数の中で搬送され得る。
【０１４８】
[00171]機能情報は、基本的／圧縮ＢＡＲ内で起動シーケンス制御のフラグメント番号（Ｆｒａｇｍｅｎｔ  Ｎｕｍｂｅｒ  ｏｆ  Ｓｔａｒｔｉｎｇ  Ｓｅｑｕｅｎｃｅ  Ｃｏｎｔｒｏｌ）に基づいて、オンデマンドで送られることが可能である。たとえば、図１４に示すように、機能情報ＩＥ１４０２は、ブロックＡＣＫ起動シーケンス制御フィールドに関して定義されたビットのうちの１つまたは複数の中で搬送され得る。代替的には、フラグメント番号自体が機能情報を示すことができる。したがって、機能情報は、ビット０〜３のうちの１つまたは複数の中で搬送され得る。
【０１４９】
[00172]図１５〜図１８を参照して、干渉インジケーション（たとえば、メトリックシグナリング）を搬送し得るメッセージのいくつかの例を説明する。
【０１５０】
[00173]干渉インジケーションは、図１５に示すように、ブロックＡＣＫ（ＢＡ）フレームによって搬送され得る。ＢＡフレームは、予約済みビットを有する制御フィールドを含む。たとえば、干渉インジケーションＩＥ１５０２は、ビット３〜１１のうちの１つまたは複数の中で搬送され得る。いくつかの実装形態では、これらの予約済みビットは、ＢＡが肯定応答を提供するパケットに関する何らかの干渉インジケーション（たとえば、メトリックス）を搬送するために使用される。
【０１５１】
[00174]図１６を参照すると、ＡＣＫおよびＣＴＳなどの制御フレームは、干渉インジケーションを搬送するために使用され得る未使用ビットを有する。たとえば、（（ＩＥ）として示される）干渉インジケーションＩＥは、図１６のフレーム制御フィールド内でビット８、９、１０、１１、１３、１４、または１５のうちの１つもしくは複数の中で搬送され得る。この場合も、これらのビットのうちの１つまたは複数は、ＢＡが肯定応答を提供するパケットに関する何らかの干渉インジケーション（たとえば、メトリックス）を搬送するために使用され得る。
【０１５２】
[00175]別の例として、新しい否定ＡＣＫ（ＮＡＣＫ）フレームが定義され得る。このようにして、受信機は、パケットまたはパケット内のデータユニットのうちのいくつかが干渉により成功裏に受信されなかったというインジケーションを送信機に送ることができる。
【０１５３】
[00176]同様に、干渉関連シグナリングは新しい専用フレームを使用して通信され得る。たとえば、過去の送信に関する干渉インジケーション（たとえば、メトリックス）を搬送する新しいアクションフレームは、平均化され得るか、累積され得るか、または列挙された値を有し得る。さらに、このアクションフレームは、その干渉インジケーション（たとえば、メトリックス）が参照する時間間隔またはＭＰＤＵシーケンス番号間隔に対する参照を含み得る。
【０１５４】
[00177]次に、図１７および図１８を参照すると、情報を送るための機構はまた、他の目的で前に定義されたビットを再使用することによって提供され得る。たとえば、場合によっては、８０２．１１高速リンク適応に関して使用されるビットが再使用され得る。
【０１５５】
[00178]８０２．１１規格は、送信側ステーション（ＳＴＡ）が、フィードバックを要求するための（ＨＴ可変またはＶＨＴ可変の）ＨＴ制御フィールドを有するフレームを送り、受信側ＳＴＡが（ＨＴ可変またはＶＨＴ可変の）ＨＴ制御フィールドを有するフレームを送るための機構を定義する。変調およびコーディング方式（ＭＣＳ）、信号対雑音比（ＳＮＲ）、および帯域幅（ＢＷ）などの情報は、このフィードバック機構を介して送られることが可能である（たとえば、８０２．１１−２０１２の8.2.4.6 HT Control field, Sec 9.28、および８０２．１１ａｃの関連項を参照）。
【０１５６】
[00179]この同じ機構は、送信機および受信機がこれらのビットを再使用するための機能を有し、そうすることに合意していると仮定して、ＭＣＳ、ＳＮＲ、またはＢＷの代わりに所望の干渉インジケーション（たとえば、メトリックス）をフィードバックするために使用され得る。この場合、受信側ＳＴＡは、好ましいメトリック（たとえば、干渉インジケーション）を示すために、ＨＴ制御フィールド内のフィールド（たとえば、ＭＣＳ、ＳＮＲ、またはＢＷのうちの１つもしくは複数）のうちのいくつかを符号化することができる。したがって、このメトリックは、規格によって示されたものとは異なることになる。これは、直接通信であり、送信機と受信機は両方とも、上で述べたフィールドの再解釈に合意している。いくつかの実装形態では、修正されたフィードバックは、機能だけに基づいて可能にされ得る。いくつかの実装形態では、修正されたフィードバックを可能にすることは、フィードバック要求を含む先行するＨＴ制御フィールド内に含まれた特別インジケーションにも依存し得る（たとえば、この目的で、内のいくつかのフィールドおよびＨＴ制御フィールドが使用され得る）。
【０１５７】
[00180]図１７では、通常、ＭＣＳ関連情報を搬送するビットは、サブフィールドのリンク適応制御セクション１７０２内にある。したがって、ビット１〜１５のうちの１つまたは複数は、干渉インジケーションを搬送するために再割振りされ得る。
【０１５８】
[00181]図１８では、通常、ＭＣＳ関連情報を搬送するビットは、サブフィールドのＭＣＳフィードバック（ＭＦＢ）セクション１８０２内にある。したがって、ビット９〜２３のうちの１つまたは複数は、干渉インジケーションを搬送するために再割振りされ得る。
【０１５９】
[00182]いくつかの実装形態では、送信機は（たとえば、パケットロスフィードバックおよび干渉フィードバックに基づいて）使用されることになるレートを選択する。これらの場合、受信機は使用されることになるＭＣＳをもはや指定しないため、ＭＣＳビットはＭＣＳフィードバックに関して使用されない。したがって、これらのＭＣＳビットは、再割振りに関して使用するためにすぐに利用可能である。
【０１６０】
[00183]図１９は、ワイヤレス通信システム１００内で用いられ得る装置１９０２（たとえば、ワイヤレスデバイス）において利用され得る様々な構成要素を示す。装置１９０２は、本明細書で説明する様々な方法を実装するように構成され得るデバイスの一例である。たとえば、装置１９０２は、ＡＰ１０４、中継器、図１もしくは図２のＳＴＡ１０６のうちの１つ、または何らかの他のタイプの装置を備え得る。
【０１６１】
[00184]装置１９０２は、装置１９０２の動作を制御する処理システム１９０４を含み得る。処理システム１９０４は、中央処理装置（ＣＰＵ）と呼ばれる場合もある。読取り専用メモリ（ＲＯＭ）とランダムアクセスメモリ（ＲＡＭ）の両方を含み得る（たとえば、メモリデバイスを含む）メモリ構成要素１９０６は、命令およびデータを処理システム１９０４に提供する。メモリ構成要素１９０６の一部は不揮発性ランダムアクセスメモリ（ＮＶＲＡＭ）も含み得る。処理システム１９０４は通常、メモリ構成要素１９０６内に記憶されたプログラム命令に基づいて、論理演算と算術演算とを実行する。メモリ構成要素１９０６内の命令は、本明細書で説明する方法を実装するように実行可能であり得る。
【０１６２】
[00185]装置１９０２が送信ノードとして実装または使用されるとき、処理システム１９０４は、複数の媒体アクセス制御（ＭＡＣ）ヘッダタイプのうちの１つを選択し、そのＭＡＣヘッダタイプを有するパケットを生成するように構成され得る。たとえば、処理システム１９０４は、ＭＡＣヘッダとペイロードとを備えるパケットを生成し、何のタイプのＭＡＣヘッダを使用するかを決定するように構成され得る。
【０１６３】
[00186]装置１９０２が受信ノードとして実装または使用されるとき、処理システム１９０４は、複数の異なるＭＡＣヘッダタイプのパケットを処理するように構成され得る。たとえば、処理システム１９０４は、パケット内で使用されるＭＡＣヘッダのタイプを決定し、パケットおよび／またはＭＡＣヘッダのフィールドを処理するように構成され得る。
【０１６４】
[00187]処理システム１９０４は、１つもしくは複数のプロセッサとともに実装されるより大きな処理システムを備えるか、またはその構成要素であり得る。１つもしくは複数のプロセッサは、汎用マイクロプロセッサ、マイクロコントローラ、デジタル信号プロセッサ（ＤＳＰ）、フィールドプログラマブルゲートアレイ（ＦＰＧＡ）、プログラマブル論理デバイス（ＰＬＤ）、コントローラ、状態機械、ゲート論理、個別のハードウェア構成要素、専用のハードウェア有限状態機械、または、情報の計算もしくは他の操作を実行することができる任意の他の適切なエンティティの任意の組合せで実装される場合がある。
【０１６５】
[00188]処理システムは、ソフトウェアを記憶するための機械可読媒体も含み得る。ソフトウェアは、ソフトウェアと呼ばれるか、ファームウェアと呼ばれるか、ミドルウェアと呼ばれるか、マイクロコードと呼ばれるか、ハードウェア記述言語と呼ばれるか、または別様に呼ばれるかにかかわらず、任意のタイプの命令を意味すると広く解釈されるべきである。命令は、（たとえば、ソースコード形式、バイナリコード形式、実行可能コード形式、またはコードの任意の他の適切な形式の）コードを含む場合がある。命令は、１つまたは複数のプロセッサによって実行されたとき、本明細書で説明する様々な機能を処理システムに実行させる。
【０１６６】
[00189]装置１９０２はまた、装置１９０２と遠隔位置との間のデータの送信および受信を可能にするために送信機１９１０ならびに受信機１９１２を含み得る筐体１９０８を含み得る。送信機１９１０および受信機１９１２は、単一の通信構成要素（たとえば、送受信機１９１４）に組み合わされる場合がある。アンテナ１９１６は、筐体１９０８に取り付けられ、送受信機１９１４に電気的に結合される場合がある。装置１９０２は、複数の送信機、複数の受信機、複数の送受信機、および／または複数のアンテナも含み得る（図示せず）。送信機１９１０および受信機１９１２は、いくつかの実装形態では、（たとえば、単一の通信デバイスの送信機回路および受信機回路として組み込まれる）集積デバイスを備え得、いくつかの実装形態では、別個の送信機デバイスおよび別個の受信機デバイスを備え得、または他の実装形態では他の方法で組み込まれ得る。
【０１６７】
[00190]送信機１９１０は、異なるＭＡＣヘッダタイプを有するパケットをワイヤレス送信するように構成され得る。たとえば、送信機１９１０は、上記で論じた処理システム１９０４によって生成された異なるタイプのヘッダとともにパケットを送信するように構成され得る。
【０１６８】
[00191]受信機１９１２は、異なるＭＡＣヘッダタイプを有するパケットをワイヤレス受信するように構成され得る。いくつかの態様では、受信機１９１２は、使用されたＭＡＣヘッダのタイプを検出し、それに応じてパケットを処理するように構成される。
【０１６９】
[00192]受信機１９１２は、送受信機１９１４によって受信された信号のレベルを検出し、量子化するために使用され得る。受信機１９１２は、総エネルギー、シンボルごとのサブキャリア当たりのエネルギー、電力スペクトル密度、および他の信号などの信号を検出することができる。装置１９０２は、信号を処理する際に使用するためのデジタル信号プロセッサ（ＤＳＰ）１９２０も含み得る。ＤＳＰ１９２０は、送信用のデータユニットを生成するように構成され得る。いくつかの態様では、データユニットは、物理レイヤデータユニット（ＰＰＤＵ）を備え得る。いくつかの態様では、ＰＰＤＵはパケットと呼ばれる。
【０１７０】
[00193]装置１９０２は、いくつかの態様では、ユーザインターフェース１９２２をさらに備え得る。ユーザインターフェース１９２２は、キーパッド、マイクロフォン、スピーカ、および／またはディスプレイを備える場合がある。ユーザインターフェース１９２２は、装置１９０２のユーザに情報を伝達し、および／もしくはユーザからの入力を受信する、任意の要素または構成要素を含み得る。
【０１７１】
[00194]装置１９０２の様々な構成要素は、バスシステム１９２６によって互いに結合され得る。バスシステム１９２６は、たとえば、データバスを含み得、ならびに、データバスに加えて、電力バス、制御信号バス、およびステータス信号バスを含み得る。装置１９０２の構成要素は、何らかの他の機構を使用して、互いに結合されるか、または互いに対する入力を受け付けるか、もしくは与え得ることを当業者は諒解されよう。
【０１７２】
[00195]いくつかの別々の構成要素が図１９に示されているが、それらの構成要素のうちの１つもしくは複数は、組み合わされるか、または共通に実装されることがある。たとえば、処理システム１９０４は、処理システム１９０４に関して上で説明した機能を実装するためだけでなく、信号検出器１９１８および／またはＤＳＰ１９２０に関して上で説明した機能を実装するためにも使用され得る。さらに、図１９に示した構成要素の各々は、複数の別個の要素を使用して実装される場合がある。さらに、処理システム１９０４は、以下で説明する構成要素、モジュール、回路などのいずれかを実装するために使用され得、または各々が複数の別個の要素を使用して実装され得る。
【０１７３】
[00196]参照しやすいように、装置１９０２が送信ノードとして構成されるとき、以下でそれを装置１９０２ｔと呼ぶ。同様に、装置１９０２が受信ノードとして構成されるとき、以下でそれを装置１９０２ｒと呼ぶ。ワイヤレス通信システム１００中のデバイスは、送信ノードの機能のみ、受信ノードの機能のみ、または送信ノードと受信ノードの両方の機能を実装し得る。
【０１７４】
[00197]上で論じたように、装置１９０２は、ＡＰ、中継器、ＳＴＡ、または何らかの他のタイプの装置を備え得る。さらに、装置１９０２は、複数のＭＡＣヘッダタイプを有する通信を送信および／または受信するために使用され得る。
【０１７５】
[00198]図１９の構成要素は、様々な方法で実施され得る。いくつかの実装形態では、図１９の構成要素は、たとえば、１つもしくは複数のプロセッサ、および／または（１つもしくは複数のプロセッサを含み得る）１つもしくは複数のＡＳＩＣなど、１つもしくは複数の回路において実装され得る。ここで、各回路は、この機能を与えるために回路によって使用される情報もしくは実行可能コードを記憶するための少なくとも１つのメモリ構成要素を使用し、および／または組み込み得る。たとえば、図１９のブロックによって表される機能の一部もしくは全部は、装置のプロセッサとメモリ構成要素とによって（たとえば、適切なコードの実行によっておよび／またはプロセッサ構成要素の適切な構成によって）実装され得る。これらの構成要素は、異なる実装形態では、異なるタイプの装置において（たとえば、ＡＳＩＣにおいて、システムオンチップ（ＳｏＣ）において、などで）実装され得ることを諒解されたい。
【０１７６】
[00199]上で論じたように、装置１９０２は、ＡＰ、中継器、ＳＴＡ、または何らかの他のタイプの装置を備えることが可能であり、通信を送信および／または受信するために使用され得る。図２０に、ワイヤレス通信を送信するために装置１９０２ｔにおいて利用され得る様々な構成要素を示す。図２０に示す構成要素は、たとえば、ＯＦＤＭ通信を送信するために使用され得る。いくつかの態様では、図２０に示す構成要素は、１ＭＨｚ以下の帯域幅で送られるパケットを生成し、送信するために使用される。
【０１７７】
[00200]図２０の装置１９０２ｔは、送信のためにビットを変調するように構成された変調器２００２を備え得る。たとえば、変調器２００２は、たとえばコンステレーションに従ってビットを複数のシンボルにマッピングすることによって、処理システム１９０４（図１９）またはユーザインターフェース１９２２（図１９）から受信されたビットから複数のシンボルを決定することができる。それらのビットは、ユーザデータまたは制御情報に対応し得る。いくつかの態様では、それらのビットはコードワードにおいて受信される。一態様では、変調器２００２は、ＱＡＭ（直交振幅変調）変調器、たとえば、１６ＱＡＭ変調器または６４ＱＡＭ変調器を備える。他の態様では、変調器２００２は、２位相シフトキーイング（ＢＰＳＫ）変調器または４位相シフトキーイング（ＱＰＳＫ）変調器を備える。
【０１７８】
[00201]装置１９０２ｔは、変調器２００２からのシンボル、またはさもなければ変調されたビットを時間領域に変換するように構成された変換モジュール２００４をさらに備え得る。図２０では、変換モジュール２００４は、逆高速フーリエ変換（ＩＦＦＴ）モジュールによって実装されるものとして示されている。いくつかの実装形態では、異なるサイズのデータのユニットを変換する複数の変換モジュール（図示せず）が存在する場合がある。いくつかの実装形態では、変換モジュール２００４は、それ自体が、異なるサイズのデータのユニットを変換するように構成され得る。たとえば、変換モジュール２００４は、複数のモードで構成され得、各モードでシンボルを変換するために異なる数の点を使用し得る。たとえば、ＩＦＦＴは、３２個のトーン（すなわち、サブキャリア）で送信されているシンボルを時間領域に変換するために３２点が使用されるモードと、６４個のトーンで送信されているシンボルを時間領域に変換するために６４点が使用されるモードとを有し得る。変換モジュール２００４によって使用される点の数は、変換モジュール２００４のサイズと呼ばれることがある。
【０１７９】
[00202]図２０は、変調器２００２および変換モジュール２００４がＤＳＰ２０２０内で実装されるものとして示されている。しかしながら、いくつかの態様では、変調器２００２と変換モジュール２００４の一方または両方が処理システム１９０４内でまたは装置１９０２ｔの別の要素（たとえば、図１９に関する上記の説明を参照）内で実装される。
【０１８０】
[00203]上記で論じたように、ＤＳＰ２０２０は、送信用のデータユニットを生成するように構成され得る。いくつかの態様では、変調器２００２および変換モジュール２００４は、制御情報を含む複数のフィールドと複数のデータシンボルとを備えるデータユニットを生成するように構成され得る。
【０１８１】
[00204]図２０の説明に戻ると、装置１９０２ｔは、変換モジュールの出力をアナログ信号に変換するように構成されたデジタルアナログ変換器２００６をさらに備え得る。たとえば、変換モジュール２００６の時間領域出力は、デジタルアナログ変換器２００６によってベースバンドＯＦＤＭ信号に変換され得る。デジタルアナログ変換器２００６は、処理システム１９０４内でまたは図１９の装置１９０２の別の要素内で実装され得る。いくつかの態様では、デジタルアナログ変換器２００６は、送受信機１９１４（図１９）内でまたはデータ送信プロセッサ内で実装される。
【０１８２】
[00205]アナログ信号は、送信機２０１０によってワイヤレス送信され得る。アナログ信号は、送信機２０１０によって送信される前に、たとえばフィルタ処理されることによって、または中間周波数もしくは搬送周波数にアップコンバートされることによって、さらに処理され得る。図２０に示す態様では、送信機２０１０は送信増幅器２００８を含む。送信される前に、アナログ信号は送信増幅器２００８によって増幅され得る。いくつかの態様では、増幅器２００８は低雑音増幅器（ＬＮＡ）を備える。
【０１８３】
[00206]送信機２０１０は、アナログ信号に基づいてワイヤレス信号内で１つもしくは複数のパケットまたはデータユニットを送信するように構成される。それらのデータユニットは、処理システム１９０４（図１９）および／またはＤＳＰ２０２０を使用して、たとえば、上で論じたように変調器２００２および変換モジュール２００４を使用して生成され得る。上記で説明したように生成され、送信され得るデータユニットについて、以下でさらに詳細に説明する。
【０１８４】
[00207]図２１は、ワイヤレス通信を受信するために図１９の装置１９０２において利用され得る様々な構成要素を示す。図２１に示す構成要素は、たとえば、ＯＦＤＭ通信を受信するために使用され得る。たとえば、図２１に示す構成要素は、図２０に関して上で説明した構成要素によって送信されたデータユニットを受信するために使用され得る。
【０１８５】
[00208]装置１９０２ｒの受信機２１１２は、ワイヤレス信号内の１つもしくは複数のパケットまたはデータユニットを受信するように構成される。受信され、復号され、またはさもなければ処理され得るデータユニットについて、以下で説明する。
【０１８６】
[00209]図２１に示す態様では、受信機２１１２は受信増幅器２１０１を含む。受信増幅器２１０１は、受信機２１１２によって受信されたワイヤレス信号を増幅するように構成され得る。いくつかの態様では、受信機２１１２は、自動利得制御（ＡＧＣ）手順を使用して、受信増幅器２１０１の利得を調整するように構成される。いくつかの態様では、自動利得制御は、たとえば、利得を調整するために、受信されたショートトレーニングフィールド（ＳＴＦ）などの１つまたは複数の受信されたトレーニングフィールド内の情報を使用する。当業者はＡＧＣを実行するための方法を理解されよう。いくつかの態様では、増幅器２１０１はＬＮＡを備える。
【０１８７】
[00210]装置１９０２ｒは、受信機２１１２からの増幅されたワイヤレス信号をそのデジタル表現に変換するように構成されたアナログデジタル変換器２１１０を備え得る。増幅されることに加えて、ワイヤレス信号は、デジタルアナログ変換器２１１０によって変換される前に、たとえば、フィルタ処理されることによって、または中間周波数もしくはベースバンド周波数にダウンコンバートされることによって、処理され得る。アナログデジタル変換器２１１０は、処理システム１９０４（図１９）内でまたは装置１９０２ｒの別の要素内で実装され得る。いくつかの態様では、アナログデジタル変換器２１１０は、送受信機１９１４（図１９）内でまたはデータ受信プロセッサ内で実装される。
【０１８８】
[00211]装置１９０２ｒは、ワイヤレス信号の表現を周波数スペクトルに変換するように構成された変換モジュール２１０４をさらに備え得る。図２１では、変換モジュール２１０４は、高速フーリエ変換（ＦＦＴ）モジュールによって実装されるものとして示されている。いくつかの態様では、変換モジュールは、それが使用する各点についてシンボルを識別することができる。図２０に関して上で説明したように、変換モジュール２１０４は、複数のモードで構成され得、各モードで信号を変換するために異なる数の点を使用し得る。変換モジュール２１０４によって使用される点の数は、変換モジュール２１０４のサイズと呼ばれることがある。いくつかの態様では、変換モジュール２１０４は、それが使用する各点についてシンボルを識別し得る。
【０１８９】
[00212]装置１９０２ｒは、データユニットがそれを介して受信されるチャネルの推定値を形成することと、チャネル推定値に基づいてチャネルのいくつかの影響を除去することとを行うように構成されたチャネル推定器兼等化器２１０５をさらに備え得る。たとえば、チャネル推定器２１０５は、チャネルの関数を近似するように構成され得、チャネル等化器は、その関数の逆を周波数スペクトルにおけるデータに適用するように構成され得る。
【０１９０】
[00213]装置１９０２ｒは、等化されたデータを復調するように構成された復調器２１０６をさらに備える場合がある。たとえば、復調器２１０６は、たとえばコンステレーションにおいてビットとシンボルとのマッピングを逆転させることによって、変換モジュール２１０４およびチャネル推定器兼等化器２１０５によって出力されたシンボルから複数のビットを決定することができる。それらのビットは、処理システム１９０４（図１９）によって処理または評価され得るか、あるいはユーザインターフェース１９２２（図１９）に情報をインジケーションするかまたはさもなければ出力するために使用され得る。このようにして、データおよび／または情報が復号され得る。いくつかの態様では、それらのビットはコードワードに対応する。一態様では、復調器２１０６は、ＱＡＭ（直交振幅変調）復調器、たとえば１６ＱＡＭ復調器または６４ＱＡＭ復調器を備える。他の態様では、復調器２１０６は、２位相シフトキーイング（ＢＰＳＫ）復調器または４位相シフトキーイング（ＱＰＳＫ）復調器を備える。
【０１９１】
[00214]図２１では、変換モジュール２１０４、チャネル推定器兼等化器２１０５、および復調器２１０６は、ＤＳＰ２１２０内で実装されるものとして示されている。しかしながら、いくつかの態様では、変換モジュール２１０４、チャネル推定器兼等化器２１０５、および復調器２１０６のうちの１つもしくは複数が処理システム１９０４（図１９）内でまたは装置１９０２（図１９）の別の要素内で実装される。
【０１９２】
[00215]上で説明したように、受信機１９１２において受信されたワイヤレス信号は、１つまたは複数のデータユニットを備える。上で説明した機能または構成要素を使用して、データユニットもしくはその中のデータシンボルは、復号され評価されるか、またはさもなければ、評価もしくは処理され得る。たとえば、処理システム１９０４（図１９）および／またはＤＳＰ２１２０は、変換モジュール２１０４と、チャネル推定器兼等化器２１０５と、復調器２１０６とを使用して、データユニット内のデータシンボルを復号するために使用され得る。
【０１９３】
[00216]ＡＰ１０４およびＳＴＡ１０６によって交換されるデータユニットは、上で説明したように、制御情報またはデータを含む場合がある。物理（ＰＨＹ）レイヤにおいて、これらのデータユニットは、物理レイヤプロトコルデータユニット（ＰＰＤＵ）と呼ばれる場合がある。いくつかの態様では、ＰＰＤＵはパケットまたは物理レイヤパケットと呼ばれる場合がある。各ＰＰＤＵはプリアンブルとペイロードとを備え得る。プリアンブルはトレーニングフィールドとＳＩＧフィールドとを含み得る。ペイロードは、たとえば、媒体アクセス制御（ＭＡＣ）ヘッダもしくは他のレイヤ用のデータ、および／またはユーザデータを備え得る。ペイロードは、１つまたは複数のデータシンボルを使用して送信され得る。本明細書のシステム、方法、およびデバイスは、ピーク対電力比が最小限に抑えられたトレーニングフィールドを有するデータユニットを利用することができる。
【０１９４】
[00217]図２０に示す装置１９０２ｔは、アンテナを介して送信される単一の送信チェーンの一例を示している。図２１に示す装置１９０２ｒは、アンテナを介して受信される単一の受信チェーンの一例を示している。いくつかの実装形態では、装置１９０２ｔまたは１９０２ｒは、データを同時に送信するために複数のアンテナを使用してＭＩＭＯシステムの一部分を実装し得る。
【０１９５】
[00218]ワイヤレスネットワーク１００は、衝突を回避しながら、予測不可能なデータ送信に基づいて、ワイヤレス媒体の効率的なアクセスを可能にするための方法を用いることができる。したがって、様々な態様によれば、ワイヤレスネットワーク１００は、分散協調機能（ＤＣＦ）と呼ばれる場合があるキャリア検知多重アクセス／衝突回避（ＣＳＭＡ／ＣＡ）を実行する。より一般的には、送信用のデータを有する装置１９０２は、チャネルがすでに占有されているかどうかを決定するためにワイヤレス媒体を検知する。装置１９０２が、そのチャネルがアイドルであることを検知する場合、装置１９０２は準備されたデータを送信する。さもなければ、装置１９０２は、ワイヤレス媒体が送信を自由に行うことができるか否かを再度決定する前に、何らかの期間の間延期し得る。ＣＳＭＡを実行するための方法は、衝突を回避するために連続的な送信間に様々なギャップを用いることができる。一態様では、送信はフレームと呼ばれる場合があり、フレーム間のギャップはフレーム間スペース（ＩＦＳ）と呼ばれる。フレームは、ユーザデータ、制御フレーム、管理フレームなどのうちの任意の１つであり得る。
【０１９６】
[00219]ＩＦＳ時間持続期間は、提供される時間ギャップのタイプに応じて異なり得る。ＩＦＳのいくつかの例としては、ショートフレーム間スペース（ＳＩＦＳ）、ポイントフレーム間スペース（ＰＩＦＳ）、およびＤＣＦフレーム間スペース（ＤＩＦＳ）があり、この場合、ＳＩＦＳは、ＤＩＦＳよりも短いＰＩＦＳよりも短い。より短い時間持続期間に続く送信は、チャネルにアクセスしようとする前により長く待機しなければならない送信よりも、より高い優先順位を有することになる。
【０１９７】
[00220]ワイヤレス装置は、ワイヤレス装置によって送信されるまたはワイヤレス装置において受信される信号に基づいて機能を実行する様々な構成要素を含み得る。たとえば、いくつかの実装形態では、本明細書で教示するように、ワイヤレス装置は、受信された信号に基づいてインジケーションを出力するように構成されたユーザインターフェースを備える。
【０１９８】
[00221]本明細書で教示するワイヤレス装置は、適切なワイヤレス通信技術に基づくか、またはさもなければそれをサポートする、１つもしくは複数のワイヤレス通信リンクを介して通信し得る。たとえば、いくつかの態様では、ワイヤレス装置は、ローカルエリアネットワーク（たとえば、Ｗｉ−Ｆｉネットワーク）またはワイドエリアネットワークなど、ネットワークに関連し得る。この目的で、ワイヤレス装置は、たとえば、Ｗｉ−Ｆｉ、ＷｉＭＡＸ（登録商標）、ＣＤＭＡ、ＴＤＭＡ、ＯＦＤＭ、およびＯＦＤＭＡなど、様々なワイヤレス通信技術、プロトコル、または規格のうちの１つもしくは複数をサポートするか、またはさもなければ使用し得る。また、ワイヤレス装置は、様々な対応する変調方式または多重化方式のうちの１つもしくは複数をサポートするか、あるいはさもなければ使用し得る。したがって、ワイヤレス装置は、上記または他のワイヤレス通信技術を使用して１つもしくは複数のワイヤレス通信リンクを確立し、それを介して通信するための適切な構成要素（たとえば、エアインターフェース）を含み得る。たとえば、デバイスは、ワイヤレス媒体上での通信を容易にする様々な構成要素（たとえば、信号生成器および信号プロセッサ）を含み得る、関連付けられた送信機構成要素と受信機構成要素とをもつワイヤレス送受信機を備え得る。
【０１９９】
[00222]本明細書の教示は、様々な装置（たとえば、ノード）に組み込まれ得る（たとえば、それらの装置内に実装されるか、またはそれらの装置によって実行され得る）。いくつかの態様では、本明細書の教示に従って実装されるワイヤレス装置（たとえば、ワイヤレスノードもしくはワイヤレスデバイス）はアクセスポイント、中継器、またはアクセス端末を備え得る。
【０２００】
[00223]アクセス端末は、ユーザ機器、加入者局、加入者ユニット、移動局、モバイル、モバイルノード、遠隔局、遠隔端末、ユーザ端末、ユーザエージェント、ユーザデバイス、もしくは何らかの他の用語を備えるか、それらのいずれかとして実装されるか、またはそれらのいずれかとして知られていることがある。いくつかの実装形態では、アクセス端末は、セルラー電話、コードレス電話、セッション開始プロトコル（ＳＩＰ）電話、ワイヤレスローカルループ（ＷＬＬ）局、携帯情報端末（ＰＤＡ）、ワイヤレス接続機能を有するハンドヘルドデバイス、またはワイヤレスモデムに接続された何らかの他の適切な処理デバイスを備え得る。したがって、本明細書で教示する１つもしくは複数の態様は、電話（たとえば、セルラーフォンもしくはスマートフォン）、コンピュータ（たとえば、ラップトップ）、ポータブル通信デバイス、ポータブルコンピューティングデバイス（たとえば、携帯情報端末）、エンターテインメントデバイス（たとえば、音楽デバイス、ビデオデバイス、もしくは衛星ラジオ）、全地球測位システムデバイス、またはワイヤレス媒体を介して通信するように構成された他の適切なデバイスに組み込まれ得る。
【０２０１】
[00224]アクセスポイントは、ノードＢ、ｅノードＢ、無線ネットワークコントローラ（ＲＮＣ）、基地局（ＢＳ）、無線基地局（ＲＢＳ）、基地局コントローラ（ＢＳＣ）、送受信基地局（ＢＴＳ）、送受信機機能（ＴＦ）、無線送受信機、無線ルータ、基本サービスセット（ＢＳＳ）、拡張サービスセット（ＥＳＳ）、マクロセル、マクロノード、ホームｅＮＢ（ＨｅＮＢ）、フェムトセル、フェムトノード、ピコノード、もしくは何らかの他の同様の用語を備えることが可能であり、それらのいずれかとして実装されることが可能であり、またはそれらのいずれかとして知られている場合ある。
【０２０２】
[00225]中継器は、中継器ノード、中継デバイス、中継局、中継装置、もしくは何らかの他の類似の用語を備えることが可能であり、それらとして実装されることが可能であり、またはそれらとして知られている場合がある。上で論じたように、いくつかの態様では、中継器は、何らかのアクセス端末機能および何らかのアクセスポイント機能を備え得る。
【０２０３】
[00226]いくつかの態様では、ワイヤレス装置は、通信システムのためのアクセスデバイス（たとえば、アクセスポイント）を備える。そのようなアクセスデバイスは、たとえば、ワイヤードまたはワイヤレスの通信リンクを介した、別のネットワーク（たとえば、インターネットもしくはセルラーネットワークなど、ワイドエリアネットワーク）への接続性を与える。したがって、アクセスデバイスは、別のデバイス（たとえば、ワイヤレス局）が他のネットワークまたは何らかの他の機能にアクセスできるようにする。さらに、それらのデバイスのうちの一方もしくは両方はポータブルであるか、または場合によっては、比較的非ポータブルであり得ることを諒解されたい。また、ワイヤレス装置は、適切な通信インターフェースを介して非ワイヤレス方式で（たとえば、ワイヤード接続を介して）情報を送信および／または受信することも可能であり得ることを諒解されたい。
【０２０４】
[00227]本明細書の教示は、様々なタイプの通信システムおよび／またはシステム構成要素に組み込まれ得る。いくつかの態様では、本明細書の教示は、利用可能なシステムリソースを共有することによって（たとえば、帯域幅、送信電力、コーディング、インターリービングなどのうちの１つまたは複数を指定することによって）、複数のユーザとの通信をサポートすることが可能な多元接続システムにおいて用いられ得る。たとえば、本明細書の教示は次の技術のいずれか１つまたはそれらの組合せに適用され得る。すなわち、符号分割多元接続（ＣＤＭＡ）システム、多重キャリアＣＤＭＡ（ＭＣＣＤＭＡ）、広帯域ＣＤＭＡ（Ｗ−ＣＤＭＡ（登録商標））、高速パケットアクセス（ＨＳＰＡ、ＨＳＰＡ＋）システム、時分割多元接続（ＴＤＭＡ）システム、周波数分割多元接続（ＦＤＭＡ）システム、シングルキャリアＦＤＭＡ（ＳＣ−ＦＤＭＡ）システム、直交周波数分割多元接続（ＯＦＤＭＡ）システム、または他の多元接続技法の技術である。本明細書の教示を用いるワイヤレス通信システムは、ＩＳ−９５、ｃｄｍａ２０００、ＩＳ−８５６、Ｗ−ＣＤＭＡ、ＴＤＳＣＤＭＡ、および他の規格など、１つまたは複数の規格を実装するように設計され得る。ＣＤＭＡネットワークは、ユニバーサルテレストリアルラジオアクセス（ＵＴＲＡ）、ｃｄｍａ２０００、または何らかの他の技術などの無線技術を実装し得る。ＵＴＲＡは、Ｗ−ＣＤＭＡと低チップレート（ＬＣＲ）とを含む。ｃｄｍａ２０００技術は、ＩＳ−２０００、ＩＳ−９５およびＩＳ−８５６規格をカバーする。ＴＤＭＡネットワークは、グローバルシステムフォーモバイル通信（ＧＳＭ（登録商標））などの無線技術を実装し得る。ＯＦＤＭＡネットワークは、発展型ＵＴＲＡ（Ｅ−ＵＴＲＡ）、ＩＥＥＥ  ８０２．１１、ＩＥＥＥ  ８０２．１６、ＩＥＥＥ  ８０２．２０、Ｆｌａｓｈ−ＯＦＤＭ（登録商標）などの無線技術を実装し得る。ＵＴＲＡ、Ｅ−ＵＴＲＡ、およびＧＳＭは、ユニバーサルモバイルテレコミュニケーションシステム（ＵＭＴＳ）の一部である。本明細書の教示は、３ＧＰＰロングタームエボリューション（ＬＴＥ）システム、ウルトラモバイルブロードバンド（ＵＭＢ）システム、および他のタイプのシステムで実装され得る。ＬＴＥは、Ｅ−ＵＴＲＡを使用するＵＭＴＳのリリースである。ＵＴＲＡ、Ｅ−ＵＴＲＡ、ＧＳＭ、ＵＭＴＳおよびＬＴＥは「第３世代パートナーシッププロジェクト」（３ＧＰＰ）と称する団体からの文書に記載されており、ｃｄｍａ２０００は、「第３世代パートナーシッププロジェクト２」（３ＧＰＰ２）と称する団体からの文書に記載されている。本開示のいくつかの態様については、３ＧＰＰ用語を使用して説明することがあるが、本明細書の教示は、３ＧＰＰ（たとえば、Ｒｅｌ９９、Ｒｅｌ５、Ｒｅｌ６、Ｒｅｌ７）技術、ならびに３ＧＰＰ２（たとえば、１ｘＲＴＴ、１ｘＥＶ−ＤＯ  Ｒｅｌ０、ＲｅｖＡ、ＲｅｖＢ）技術および他の技術に適用され得ることを理解されたい。
【０２０５】
[00228]図２２は、本明細書で教示する通信動作を実行するために（たとえば、それぞれ、アクセス端末、アクセスポイントまたは中継器、およびネットワークエンティティ（たとえば、ネットワークデバイス）に対応する）装置２２０２、装置２２０４、ならびに装置２２０６の中に組み込まれることが可能な（対応するブロックによって表される）いくつかの例示的な構成要素を示す。これらの構成要素は、異なる実装形態では、異なるタイプの装置において（たとえば、ＡＳＩＣにおいて、システムオンチップ（ＳｏＣ）において、などで）実装され得ることを諒解されたい。説明する構成要素はまた、通信システム内の他の装置に組み込まれ得る。たとえば、システム内の他の装置は、同様の機能を与えるために説明するものと同様の構成要素を含み得る。また、所与の装置は説明する構成要素のうちの１つまたは複数を含み得る。たとえば、装置は、装置が複数のキャリア上で動作し、および／または異なる技術によって通信することを可能にする、複数の送受信機構成要素を含み得る。
【０２０６】
[00229]装置２２０２および装置２２０４は各々、少なくとも１つの指定された無線アクセス技術を介して他のノードと通信するための（通信デバイス２２０８および２２１４（ならびに、装置２２０４が中継器である場合、通信デバイス２２２０）によって表される）少なくとも１つのワイヤレス通信デバイスを含む。各通信デバイス２２０８は、信号（たとえば、メッセージ、インジケーション、情報など）を送信および符号化するための（送信機２２１０によって表される）少なくとも１つの送信機と、信号（たとえば、メッセージ、インジケーション、情報、パイロットなど）を受信および復号するための（受信機２２１２によって表される）少なくとも１つの受信機とを含む。同様に、各通信デバイス２２１４は、信号（たとえば、メッセージ、インジケーション、情報、パイロットなど）を送信するための（送信機２２１６によって表される）少なくとも１つの送信機と、信号（たとえば、メッセージ、インジケーション、情報など）を受信するための（受信機２２１８によって表される）少なくとも１つの受信機とを含む。装置２２０４が中継器である場合、各通信デバイス２２２０は、信号（たとえば、メッセージ、インジケーション、情報、パイロットなど）を送信するための（送信機２２２２によって表される）少なくとも１つの送信機と、信号（たとえば、メッセージ、インジケーション、情報など）を受信するための（受信機２２２４によって表される）少なくとも１つの受信機とを含む。
【０２０７】
[00230]送信機および受信機は、いくつかの実装形態では、（たとえば、単一の通信デバイスの送信機回路および受信機回路として組み込まれる）集積デバイスを備え得、いくつかの実装形態では、別個の送信機デバイスおよび別個の受信機デバイスを備え得、または他の実装形態では、他の方法で組み込まれ得る。いくつかの態様では、装置２２０４のワイヤレス通信デバイス（たとえば、複数のワイヤレス通信デバイスのうちの１つ）はネットワークリッスンモジュールを備える。
【０２０８】
[00231]装置２２０６（および、それがアクセスポイントである場合、装置２２０４）は、他のノードと通信するための（通信デバイス２２２６、および、オプションで、２２２０によって表される）少なくとも１つの通信デバイスを含む。たとえば、通信デバイス２２２６は、ワイヤベースまたはワイヤレスのバックホールを介して１つもしくは複数のネットワークエンティティと通信するように構成されるネットワークインターフェースを備え得る。いくつかの態様では、通信デバイス２２２６は、ワイヤベースまたはワイヤレスの信号通信をサポートするように構成された送受信機として実装され得る。この通信は、たとえば、メッセージ、パラメータ、または他のタイプの情報を送信および受信することに関与し得る。したがって、図２２の例では、通信デバイス２２２６は、送信機２２２８と受信機２２３０とを備えるものとして示されている。同様に、装置２２０４がアクセスポイントである場合、通信デバイス２２２０は、ワイヤベースまたはワイヤレスのバックホールを介して１つもしくは複数のネットワークエンティティと通信するように構成されるネットワークインターフェースを備え得る。通信デバイス２２２６と同様に、通信デバイス２２２０は、送信機２２２２と受信機２２２４とを備えるものとして示されている。
【０２０９】
[00232]装置２２０２、２２０４、および２２０６は、本明細書で教示する通信動作と連携して使用され得る他の構成要素も含む。装置２２０２は、たとえば、本明細書で教示する装置２２０４（または、何らかの他の装置）と通信することに関する機能を提供するため、および他の処理機能を提供するための処理システム２２３２を含む。装置２２０４は、たとえば、本明細書で教示する装置２２０２（または、何らかの他の装置）と通信することに関する機能を提供するため、および他の処理機能を提供するための処理システム２２３４を含む。装置２２０６は、たとえば、本明細書で教示する装置２２０２および２２０４（または、何らかの他の装置）による通信をサポートすることに関する機能を提供するため、ならびに他の処理機能を提供するための処理システム２２３６を含む。装置２２０２、２２０４、および２２０６は、情報（たとえば、パラメータなど）を維持するための（たとえば、各々がメモリデバイスを含む）メモリデバイス２２３８、２２４０および２２４２をそれぞれ含む。さらに、デバイス２２０２、２２０４、および２２０６は、インジケーション（たとえば、可聴インジケーションおよび／または視覚インジケーション）をユーザに与えるため、および／または（たとえば、キーパッド、タッチスクリーン、マイクロフォンなどの検知デバイスをユーザが作動すると）ユーザ入力を受信するためのユーザインターフェースデバイス２２４４、２２４６および２２４８をそれぞれ含む。
【０２１０】
[00233]便宜上、装置２２０２は、図２２では、本明細書で説明する様々な例において使用され得る構成要素を含むものとして示されている。実際には、図示したブロックは、異なる態様では異なる機能を有し得る。たとえば、図４の動作をサポートするためのブロック２２３４の機能は、図６の動作をサポートするためのブロック２２３４の機能と比較して異なり得る。
【０２１１】
[00234]図２２の構成要素は、様々な方法で実装され得る。いくつかの実装形態では、図２２の構成要素は、たとえば、１つもしくは複数のプロセッサ、および／または（１つもしくは複数のプロセッサを含み得る）１つもしくは複数のＡＳＩＣなど、１つもしくは複数の回路において実装され得る。ここで、各回路は、この機能を与えるために回路によって使用される情報もしくは実行可能コードを記憶するための少なくとも１つのメモリ構成要素を使用し、および／または組み込み得る。たとえば、ブロック２２０８、２２３２、２２３８、および２２４４によって表される機能の一部または全部は、装置２２０２のプロセッサとメモリ構成要素とによって（たとえば、適切なコードの実行によっておよび／またはプロセッサ構成要素の適切な構成によって）実装され得る。同様に、ブロック２２１４、２２２０、２２３４、２２４０、および２２４６によって表される機能の一部または全部は、装置２２０４のプロセッサとメモリ構成要素とによって（たとえば、適切なコードの実行によっておよび／またはプロセッサ構成要素の適切な構成によって）実装され得る。また、ブロック２２２６、２２３６、２２４２、および２２４８によって表される機能の一部または全部は、装置２２０６のプロセッサとメモリ構成要素とによって（たとえば、適切なコードの実行によっておよび／またはプロセッサ構成要素の適切な構成によって）実装され得る。
【０２１２】
[00235]本明細書で説明する構成要素は、様々な様式で実装され得る。図２３および図２４を参照すると、装置２３００および２４００は、たとえば、１つもしくは複数の集積回路（たとえば、ＡＳＩＣ）によって実装されるか、または本明細書で教示する何らかの他の方法で実装される機能を表す、一連の相互に関係する機能ブロックとして表される。本明細書で論じるように、集積回路は、プロセッサ、ソフトウェア、他の構成要素、またはそれらの何らかの組合せを含み得る。
【０２１３】
[00236]装置２３００は、様々な図に関して上記で説明した機能のうちの１つまたは複数を実行し得る１つまたは複数のモジュールを含む。たとえば、少なくとも１つのデータユニット２３０２を受信するためのＡＳＩＣは、たとえば、本明細書で論じる（たとえば、ＲＦ受信チェーン回路を備えた）受信機に対応し得る。少なくとも１つのデータユニットが送信の間に干渉を受けたかどうかを示す、少なくとも１つのインジケーションを生成するためのＡＳＩＣ２３０４は、たとえば、本明細書で論じる処理システムに対応し得る。少なくとも１つのインジケーションを送信するためのＡＳＩＣ２３０６は、たとえば、本明細書で論じる送信機に対応し得る。成功裏に受信されなかった何らかのデータを識別するためのＡＳＩＣ２３０８は、たとえば、本明細書で論じる処理システムに対応し得る。機能情報を送信するためのＡＳＩＣ２３１０は、たとえば、本明細書で論じる送信機に対応し得る。機能情報を受信するためのＡＳＩＣ２３１２は、たとえば、本明細書で論じる受信機に対応し得る。
【０２１４】
[00237]装置２４００も、様々な図に関して上で説明した機能のうちの１つまたは複数を実行し得る、１つまたは複数のモジュールを含む。たとえば、少なくとも１つのデータユニットを送信するためのＡＳＩＣ２４０２は、たとえば、本明細書で論じる送信機に対応し得る。少なくとも１つのデータユニットが送信の間に干渉を受けたかどうかを示す、少なくとも１つのインジケーションを受信するためのＡＳＩＣ２４０４は、たとえば、本明細書で論じる処理システムに対応し得る。少なくとも１つの送信パラメータを決定するためのＡＳＩＣ２４０６は、たとえば、本明細書で論じる処理システムに対応し得る。いくつのデータユニットが成功裏に受信されなかったかを示す情報を受信するためのＡＳＩＣ２４０８は、たとえば、本明細書で論じる受信機に対応し得る。干渉により成功裏に受信されなかったデータユニットの量およびチャネル状態により成功裏に受信されなかったデータユニットの量を決定するためのＡＳＩＣ２４１０は、たとえば、本明細書で論じる処理システムに対応し得る。機能情報を送信するためのＡＳＩＣ２４１２は、たとえば、本明細書で論じる送信機に対応し得る。機能情報を受信するためのＡＳＩＣ２４１４は、たとえば、本明細書で論じる受信機に対応し得る。
【０２１５】
[00238]上記のように、いくつかの態様では、これらのモジュールは、適切なプロセッサ構成要素により実装され得る。これらのプロセッサ構成要素は、いくつかの態様では、少なくとも部分的には本明細書で教示する構造を使用して実装され得る。いくつかの態様では、プロセッサは、これらのモジュールのうちの１つまたは複数の機能の一部または全部を実装するように構成され得る。したがって、異なるモジュールの機能は、たとえば、集積回路の異なるサブセットとして、ソフトウェアモジュールのセットの異なるサブセットとして、またはそれらの組合せとして実装され得る。また、（たとえば、集積回路のおよび／またはソフトウェアモジュールのセットの）所与のサブセットは、機能の少なくとも一部分を２つ以上のモジュールに与え得ることを諒解されたい。いくつかの態様では、点線ボックスによって表される任意の構成要素のうちの１つまたは複数は随意である。
【０２１６】
[00239]上記のように、いくつかの実装形態では、装置２３００および２４００は、１つまたは複数の集積回路を備える。たとえば、いくつかの態様では、単一の集積回路は、示した構成要素のうちの１つまたは複数の機能を実装するが、他の態様では、２つ以上の集積回路が、示した構成要素のうちの１つまたは複数の機能を実装する。１つの特定の例として、装置２３００は、（たとえば、構成要素２３０２〜２３１２があるＡＳＩＣの異なるセクションを備える）単一のデバイスを備え得る。別の特定の例として、装置２３００は、（たとえば、構成要素２３０２、２３０６、２３１０、および２３１２があるＡＳＩＣを備え、構成要素２３０４および２３０８が別のＡＳＩＣを備える）いくつかのデバイスを備え得る。
【０２１７】
[00240]さらに、図２３および図２４によって表される構成要素ならびに機能と、本明細書で説明する他の構成要素ならびに機能とは任意の適切な手段を使用して実装され得る。そのような手段は、少なくとも部分的に、本明細書で教示する対応する構造を使用して実装される。たとえば、図２３および図２４の構成要素「のためのＡＳＩＣ」に関連して上で説明した構成要素は、同様に指定された機能「のための手段」に対応する。したがって、いくつかの実装形態では、そのような手段のうちの１つまたは複数は、本明細書で教示するプロセッサ構成要素、集積回路、または他の適切な構造のうちの１つもしくは複数を使用して実装される。いくつかの例を以下に示す。いくつかの態様では、受信するための手段は受信機を備える。いくつかの態様では、検出するための手段は処理システムを備える。いくつかの態様では、生成するための手段は処理システムを備える。いくつかの態様では、送信するための手段は送信機を備える。いくつかの態様では、識別するための手段は処理システムを備える。いくつかの態様では、決定するための手段は処理システムを備える。
【０２１８】
[00241]いくつかの実装形態では、送受信機などの通信デバイス構造は、受信するための手段の機能を具現化するように構成される。たとえば、この構造は、受信動作を起動するようにプログラムまたは設計され得る。さらに、この構造は、受信動作の結果として受信される何らかの信号を処理する（たとえば、復調および復号する）ようにプログラムまたは設計され得る。さらに、この構造は、処理の結果として受信された信号から抽出されたデータ（たとえば、データユニット、機能情報、インジケーション、もしくは他の情報）を出力するようにプログラムまたは設計され得る。典型的には、通信デバイス構造は、ワイヤレスベース送受信機デバイスまたはワイヤベース送受信機デバイスを備える。
【０２１９】
[00242]いくつかの実装形態では、送受信機などの通信デバイス構造は、送信するための手段の機能を具現化するように構成される。たとえば、この構造は、送信されるデータ（たとえば、データユニット、機能情報、インジケーション、もしくは他の情報）を取得するようにプログラムまたは設計され得る。さらに、この構造は、取得されたデータを処理する（たとえば、変調および符号化する）ようにプログラムまたは設計され得る。さらに、この構造は、処理されたデータを送信のための１つもしくは複数のアンテナに結合するようにプログラムまたは設計され得る。典型的には、通信デバイス構造は、ワイヤレスベース送受信機デバイスまたはワイヤベース送受信機デバイスを備える。
【０２２０】
[00243]いくつかの実装形態では、ＡＳＩＣまたはプログラマブルプロセッサなどの処理システム構造は、少なくとも１つのデータユニットが送信の間に干渉を受けたかどうかを示す、少なくとも１つのインジケーションを生成するための手段の機能を具現化するように構成される。この構造は、受信されたデータユニットを取得するようにプログラムまたは設計され得る。この構造は、データユニットが干渉を受けたかどうかを決定するために、受信されたデータを処理するようにプログラムまたは設計され得る。たとえば、これは、図４に関して上で説明したアルゴリズムのうちの１つまたは複数を起動することに関与し得る。この構造は、次いで、処理の結果を示すインジケーションを出力するようにプログラムまたは設計され得る。いくつかの実装形態では、この構造は、図３、図４、または図６のうちの１つまたは複数に関して説明した干渉インジケーション関連機能を実装するように構成される。
【０２２１】
[00244]いくつかの実装形態では、ＡＳＩＣまたはプログラマブルプロセッサなどの処理システム構造は、成功裏に受信されなかったデータユニットのうちのいずれかを識別するための手段の機能を具現化するように構成される。この構造は、受信されたシグナリング情報を取得するようにプログラムまたは設計され得る。この構造は、シグナリング情報が送信時に１つもしくは複数のデータユニットを含んでいたかどうかを決定するために、受信されたシグナリング情報を処理するようにプログラムまたは設計され得る。さらに、この構造は、１つまたは複数のデータユニットのうちのいずれかが成功裏に受信されなかったかどうかを決定するために、受信されたシグナリング情報をその処理し得る。たとえば、これは、図４に関して上で説明した動作を起動することに関与し得る。この構造は、次いで、処理の結果を示すインジケーションを出力するようにプログラムまたは設計され得る。いくつかの実装形態では、この構造は、図３、図４、または図６のうちの１つまたは複数に関して説明した干渉インジケーション関連機能を実装するように構成される。
【０２２２】
[00245]いくつかの実装形態では、ＡＳＩＣまたはプログラマブルプロセッサなどの処理システム構造は、少なくとも１つの送信パラメータを決定するための手段の機能を具現化するように構成される。この構造は、少なくとも１つのデータユニットが送信の間に干渉を受けたかどうかについてのインジケーションを取得するようにプログラムまたは設計され得る。この構造は、そのインジケーションの値に応じて、送信パラメータを決定（たとえば、適応）するようにプログラムまたは設計され得る。たとえば、これは、図５に関して上で説明した送信パラメータを選択することに関与し得る。この構造は、次いで、最終的な送信パラメータ値を出力するようにプログラムまたは設計され得る。いくつかの実装形態では、この構造は、図３、図５、または図７のうちの１つもしくは複数に関して説明した干渉インジケーション関連機能を実装するように構成される。
【０２２３】
[00246]いくつかの実装形態では、ＡＳＩＣまたはプログラマブルプロセッサなどの処理システム構造は、干渉により成功裏に受信されなかったデータユニットの量およびチャネル状態により成功裏に受信されなかったデータユニットの量を決定するための手段の機能を具現化するように構成される。この構造は、受信されたデータユニットを取得するようにプログラムまたは設計され得る。この構造は、データユニットのうちのいずれかが成功裏に受信されなかったかどうかを決定するために、受信されたデータユニットを処理するようにプログラムまたは設計され得る。さらに、この構造は、データユニットのうちのいずれかが干渉により成功裏に受信されなかったかどうかを決定するようにプログラムまたは設計され得る。また、この構造は、データユニットのうちのいずれかがチャネル状態により成功裏に受信されなかったかどうかを決定するようにプログラムまたは設計され得る。この構造はまた、干渉により成功裏に受信されなかった数データユニットを量子化し、チャネル状態により成功裏に受信されなかったデータユニットを量子化するようにプログラムまたは設計され得る。この構造は、量子化の結果を示すインジケーションを出力するようにプログラムまたは設計され得る。いくつかの実装形態では、この構造は、図３、図５、または図７のうちの１つもしくは複数に関して説明した干渉インジケーション関連機能を実装するように構成される。
【０２２４】
[00247]いくつかの態様では、装置または装置の構成要素は、本明細書で教示する機能を与えるように構成され得る（またはそのように動作可能であるかまたは適応され得る）。これは、たとえば、その機能を与えるように装置もしくは構成要素を製造する（たとえば、作製する）ことによって、その機能を与えるように装置もしくは構成要素をプログラムすることによって、またはいくつかの他の適切な実装技法の使用によって、達成され得る。一例として、集積回路は、必須の機能を与えるために作製され得る。別の例として、集積回路は、必須の機能をサポートするために作製され、次いで、必須の機能を与えるように（たとえば、プログラミングによって）構成され得る。また別の例として、プロセッサ回路は、必須の機能を与えるためのコードを実行し得る。
【０２２５】
[00248]また、本明細書における「第１」、「第２」などの名称を使用した要素への言及は、それらの要素の数量または順序を概括的に限定するものでないことを理解されたい。むしろ、これらの名称は、概して、本明細書において２つ以上の要素またはある要素の複数の例を区別する便利な方法として使用される。したがって、第１の要素および第２の要素への言及は、そこで２つの要素のみが用いられ得ること、または第１の要素が何らかの方法で第２の要素に先行しなければならないことを意味するものではない。また、別段に記載されていない限り、要素のセットは１つまたは複数の要素を備える。さらに、明細書または特許請求の範囲において使用される「Ａ、Ｂ、またはＣのうちの少なくとも１つ」あるいは「Ａ、Ｂ、またはＣのうちの１つもしくは複数」あるいは「Ａ、Ｂ、およびＣからなるグループのうちの少なくとも１つ」という形式の用語は、「ＡまたはＢまたはＣあるいはこれらの要素の任意の組合せ」を意味する。たとえば、この用語は、Ａ、またはＢ、またはＣ、またはＡおよびＢ、またはＡおよびＣ、またはＡおよびＢおよびＣ、または２Ａ、または２Ｂ、または２Ｃなどを含み得る。
【０２２６】
[00249]本明細書で使用する「決定する」という用語は、多種多様なアクションを包含する。たとえば、「決定すること」は、計算すること、算出すること、処理すること、導出すること、調査すること、探索すること（たとえば、テーブル、データベース、または別のデータ構造の中で探索すること）、確認することなどを含み得る。また、「決定すること」は、受信すること（たとえば、情報を受信すること）、アクセスすること（たとえば、メモリ中のデータにアクセスすること）などを含み得る。また、「決定すること」は、解決すること、選択すること、選定すること、確立することなどを含み得る。
【０２２７】
[00250]情報および信号は、様々な異なる技術および技法のいずれを使用しても表され得ることを当業者は理解されよう。たとえば、上記の説明全体にわたって言及されるデータ、命令、コマンド、情報、信号、ビット、シンボル、およびチップは、電圧、電流、電磁波、磁界もしくは磁性粒子、光場もしくは光学粒子、またはそれらの任意の組合せによって表され得る。
【０２２８】
[00251]さらに、本明細書で開示した態様に関して説明した様々な例示的な論理ブロック、モジュール、プロセッサ、手段、回路、およびアルゴリズムステップのいずれも、電子ハードウェア（たとえば、ソースコーディングもしくは何らかの他の技法を使用して設計され得る、デジタル実装形態、アナログ実装形態、またはそれら２つの組合せ）、命令を組み込んだ様々な形態のプログラムまたは設計コード（便宜上、本明細書では「ソフトウェア」もしくは「ソフトウェアモジュール」と呼ぶことがある）、あるいはその両方の組合せとして実装され得ることを当業者は諒解されよう。ハードウェアとソフトウェアのこの互換性を明確に示すために、様々な例示的な構成要素、ブロック、モジュール、回路、およびステップについて、概してそれらの機能に関して上記で説明した。そのような機能がハードウェアとして実現されるか、ソフトウェアとして実現されるかは、特定の適用例および全体的なシステムに課された設計制約によって決まる。当業者は、説明した機能を特定の適用例ごとに様々な方法で実装し得るが、そのような実装の決定は、本開示の範囲からの逸脱を生じるものと解釈すべきではない。
【０２２９】
[00252]本明細書で開示した態様に関して説明した様々な例示的な論理ブロック、モジュール、および回路は、処理システム、集積回路（「ＩＣ」）、アクセス端末、またはアクセスポイントの中で実装され得るか、またはそれらによって実行され得る。処理システムは、１つもしくは複数のＩＣを使用して実装され得、または、（たとえば、チップ上のシステムの一部として）ＩＣ内に実装され得る。ＩＣは、汎用プロセッサ、デジタル信号プロセッサ（ＤＳＰ）、特定用途向け集積回路（ＡＳＩＣ）、フィールドプログラマブルゲートアレイ（ＦＰＧＡ）もしくは他のプログラマブル論理デバイス、個別ゲートもしくはトランジスタ論理、個別ハードウェア構成要素、電子的構成要素、光学的構成要素、機械的構成要素、または本明細書で説明した機能を実行するように設計されたそれらの任意の組合せを備え得、ＩＣの内部に、ＩＣの外側に、またはその両方に存在するコードまたは命令を実行し得る。汎用プロセッサはマイクロプロセッサとすることができるが、代替形態として、プロセッサは、任意の従来のプロセッサ、コントローラ、マイクロコントローラ、または状態機械とすることができる。プロセッサはまた、コンピューティングデバイスの組合せ、たとえば、ＤＳＰおよびマイクロプロセッサの組合せ、複数のマイクロプロセッサ、ＤＳＰコアと連携する１つもしくは複数のマイクロプロセッサ、または任意の他のそのような構成として実装され得る。
【０２３０】
[00253]開示したプロセス内のステップの特定の順序または階層は、例示的な手法の一例であることを理解されたい。設計の選好に基づいて、プロセス内のステップの特定の順序または階層は本開示の範囲内のまま再構成され得ることを理解されたい。添付の方法クレームは、様々なステップの要素を例示的な順序で提示したものであり、提示された特定の順序または階層に限定されるものではない。
【０２３１】
[00254]本明細書で開示した態様に関して説明した方法またはアルゴリズムのステップは、直接ハードウェアで具現化され得るか、プロセッサによって実行されるソフトウェアモジュールで具現化され得るか、またはその２つの組合せで具現化され得る。（たとえば、実行可能な命令および関係するデータを含む）ソフトウェアモジュールならびに他のデータは、ＲＡＭメモリ、フラッシュメモリ、ＲＯＭメモリ、ＥＰＲＯＭメモリ、ＥＥＰＲＯＭ（登録商標）メモリ、レジスタ、ハードディスク、リムーバブルディスク、ＣＤ−ＲＯＭ、または当技術分野で知られている任意の他の形態のコンピュータ可読記憶媒体など、メモリ内に存在し得る。例示的な記憶媒体は、プロセッサが記憶媒体から情報（たとえば、コード）を読み取り、記憶媒体に情報を書き込むことができるように、たとえば、コンピュータ／プロセッサ（便宜上、本明細書では「プロセッサ」と呼ぶことがある）などの機械に結合され得る。例示的な記憶媒体はプロセッサに一体化され得る。プロセッサおよび記憶媒体はＡＳＩＣ内に存在し得る。ＡＳＩＣはユーザ機器内に存在し得る。代替として、プロセッサおよび記憶媒体はユーザ機器内の個別構成要素として存在し得る。さらに、いくつかの態様では、任意の適切なコンピュータプログラム製品は、本開示の態様のうちの１つまたは複数に関係する機能を与えるために実行可能な（たとえば、少なくとも１つのコンピュータによって実行可能な）コードを備えるコンピュータ可読媒体を備え得る。いくつかの態様では、コンピュータプログラム製品はパッケージ材料を備え得る。
【０２３２】
[00255]１つまたは複数の例示的な態様では、説明した機能は、ハードウェア、ソフトウェア、ファームウェア、またはそれらの任意の組合せで実装され得る。ソフトウェアで実装される場合、機能は、１つもしくは複数の命令またはコードとしてコンピュータ可読媒体上に記憶されるか、あるいはコンピュータ可読媒体を介して送信され得る。コンピュータ可読媒体は、ある場所から別の場所へのコンピュータプログラムの転送を容易にする任意の媒体を含む、コンピュータ記憶媒体と通信媒体の両方を含む。コンピュータ可読媒体は、コンピュータによってアクセスされ得る任意の利用可能な媒体であり得る。限定ではなく例として、そのようなコンピュータ可読媒体は、ＲＡＭ、ＲＯＭ、ＥＥＰＲＯＭ、ＣＤ−ＲＯＭもしくは他の光ディスクストレージ、磁気ディスクストレージもしくは他の磁気記憶デバイス、あるいは命令もしくはデータ構造の形態の所望のプログラムコードを搬送または記憶するために使用され得、コンピュータによってアクセスされ得る、任意の他の媒体を備えることができる。また、いかなる接続もコンピュータ可読媒体と適切に呼ばれる。たとえば、ソフトウェアが、同軸ケーブル、光ファイバーケーブル、ツイストペア、デジタル加入者回線（ＤＳＬ）、もしくは赤外線、無線、およびマイクロ波などのワイヤレス技術を使用して、ウェブサイト、サーバ、または他のリモートソースから送信される場合、同軸ケーブル、光ファイバーケーブル、ツイストペア、ＤＳＬ、または赤外線、無線、およびマイクロ波などのワイヤレス技術は、媒体の定義に含まれる。本明細書で使用されるディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）およびＢｌｕ−ｒａｙ（登録商標）ディスク（disc）を含み、ディスク（disk）は、通常、データを磁気的に再生し、ディスク（disc）は、データをレーザで光学的に再生する。したがって、いくつかの態様では、コンピュータ可読媒体は、非一時的コンピュータ可読媒体（たとえば、有形媒体、コンピュータ可読記憶媒体、コンピュータ可読記憶デバイスなど）を備え得る。そのような非一時的コンピュータ可読媒体（たとえば、コンピュータ可読記憶デバイス）は、本明細書で説明した、またはさもなければ知られている媒体（たとえば、メモリデバイス、媒体ディスクなど）の有形形態のいずれかを備え得る。さらに、いくつかの態様では、コンピュータ可読媒体は（たとえば、信号を備える）一時的コンピュータ可読媒体を備え得る。上記の組合せもコンピュータ可読媒体の範囲内に含まれるべきである。コンピュータ可読媒体は、任意の適切なコンピュータプログラム製品内に実装され得ることを諒解されたい。本明細書では特定の態様が記載されるが、これらの態様の多くの変形形態および置換は本開示の範囲内に入る。
【０２３３】
[00256]好ましい態様のいくつかの利益および利点が言及されたが、本開示の範囲は、特定の利益、使用、または目的に限定されるものではない。むしろ、本開示の態様は、様々なワイヤレス技術、システム構成、ネットワーク、および送信プロトコルに広く適用可能であるものとし、そのうちのいくつかを例として図および説明において示す。
【０２３４】
[00257]開示した態様の前述の説明は、当業者が本開示を実施または使用できるように与えたものである。これらの態様への様々な修正が当業者には容易に明らかになり、本明細書で定義された一般原理が、本開示の範囲から逸脱することなく他の態様に適用され得る。したがって、本開示は、本明細書で示した態様に限定されるものではなく、本明細書で開示した原理および新規の特徴に一致する最も広い範囲を与えられるべきである。
【図１】
2016516320.tif 000003
【図２】
2016516320.tif 000004
【図３】
2016516320.tif 000005
【図４】
2016516320.tif 000006
【図５】
2016516320.tif 000007
【図６】
2016516320.tif 000008
【図７】
2016516320.tif 000009
【図８】
2016516320.tif 000010
【図９】
2016516320.tif 000011
【図１０】
2016516320.tif 000012
【図１１】
2016516320.tif 000013
【図１２】
2016516320.tif 000014
【図１３】
2016516320.tif 000015
【図１４】
2016516320.tif 000016
【図１５】
2016516320.tif 000017
【図１６】
2016516320.tif 000018
【図１７】
2016516320.tif 000019
【図１８】
2016516320.tif 000020
【図１９】
2016516320.tif 000021
【図２０】
2016516320.tif 000022
【図２１】
2016516320.tif 000023
【図２２】
2016516320.tif 000024
【図２３】
2016516320.tif 000025
【図２４】
2016516320.tif 000026
【手続補正書】
【提出日】平成27年11月6日(2015.11.6)
【手続補正１】
【補正対象書類名】特許請求の範囲
【補正対象項目名】全文
【補正方法】変更
【補正の内容】
【特許請求の範囲】
【請求項１】
ワイヤレス通信のために構成された装置であって、
第２の装置によって送信された少なくとも１つのデータユニットを受信するように構成された受信機と、
前記少なくとも１つのデータユニットが前記少なくとも１つのデータユニットの前記送信の間に干渉を受けたかどうかを示す、少なくとも１つのインジケーションを生成するように構成された処理システムと、
前記少なくとも１つのインジケーションを前記第２の装置に送信するように構成された送信機と
を備え、
前記少なくとも１つのデータユニットを前記受信することは、複数のデータユニットを受信することを備え、
前記少なくとも１つのインジケーションを前記生成することは、前記データユニットのうちいくつが成功裏に受信されなかったかに関する情報を累積することを備え、
前記送信することは、前記データユニットのうちいくつが成功裏に受信されなかったかを示す前記情報を送信することをさらに備える、装置。
【請求項２】
前記少なくとも１つのインジケーションは、干渉を受けた前記データユニットの各々を識別する
請求項１に記載の装置。
【請求項３】
前記少なくとも１つのインジケーションを前記生成することは、前記データユニットのうちいくつが干渉を受けたかに関する情報を累積することと、前記累積された情報に基づいてメトリックを生成することとを備える、
請求項１に記載の装置。
【請求項４】
前記処理システムは、前記装置によって成功裏に受信されなかった前記データユニットのうちのいずれかを識別するようにさらに構成され、
前記少なくとも１つのインジケーションは、成功裏に受信されなかった前記データユニットの各々に関して、前記データユニットが干渉を受けたかどうかを示す、請求項１に記載の装置。
【請求項５】
前記少なくとも１つのデータユニットは、複数のシンボルを備え、
前記少なくとも１つのインジケーションは、干渉を受けた前記シンボルのうちの少なくとも１つを示す、
請求項１に記載の装置。
【請求項６】
前記少なくとも１つのデータユニットは、複数のシンボルを備え、
前記少なくとも１つのインジケーションは、干渉を受けた前記シンボルの量を識別する、
請求項１に記載の装置。
【請求項７】
前記送信機は、機能情報を前記第２の装置に送信するようにさらに構成され、
前記機能情報は、前記装置が、データユニットが干渉を受けるかどうかのインジケーションを送ることをサポートすることを示す、
請求項１に記載の装置。
【請求項８】
前記機能情報は、前記インジケーションが前記装置から前記第２の装置に送られたメッセージ内のどこに位置するようになるかをさらに示す、
請求項７に記載の装置。
【請求項９】
前記機能情報は、前記インジケーションが他の情報の代わりになることをさらに示し、それは、そうでなければ、前記装置から前記第２の装置へのメッセージ内で送られることになる、
請求項７に記載の装置。
【請求項１０】
ワイヤレス通信の方法であって、
第２の装置によって送信された少なくとも１つのデータユニットを第１の装置において受信することと、
前記少なくとも１つのデータユニットが前記少なくとも１つのデータユニットの前記送信の間に干渉を受けたかどうかを示す、少なくとも１つのインジケーションを生成することと、
前記少なくとも１つのインジケーションを前記第１の装置から前記第２の装置に送信することと
を備え、
前記少なくとも１つのデータユニットを前記受信することは、複数のデータユニットを受信することを備え、
前記少なくとも１つのインジケーションを前記生成することは、前記データユニットのうちいくつが成功裏に受信されなかったかに関する情報を累積することを備え、
前記送信することは、前記データユニットのうちいくつが成功裏に受信されなかったかを示す前記情報を送信することをさらに備える、方法。
【請求項１１】
前記少なくとも１つのインジケーションは、干渉を受けた前記データユニットの各々を識別する、
請求項１０に記載の方法。
【請求項１２】
前記少なくとも１つのインジケーションを前記生成することは、前記データユニットのうちいくつが干渉を受けたかに関する情報を累積することと、前記累積された情報に基づいてメトリックを生成することとを備える、
請求項１０に記載の方法。
【請求項１３】
前記方法は、前記第１の装置によって成功裏に受信されなかった前記データユニットのうちのいずれかを識別することをさらに備え、
前記少なくとも１つのインジケーションは、成功裏に受信されなかった前記データユニットの各々に関して、前記データユニットが干渉を受けたかどうかを示す、請求項１０に記載の方法。
【請求項１４】
前記少なくとも１つのデータユニットは、複数のシンボルを備え、
前記少なくとも１つのインジケーションは、干渉を受けた前記シンボルのうちの少なくとも１つを示す、
請求項１０に記載の方法。
【請求項１５】
前記少なくとも１つのデータユニットは、複数のシンボルを備え、
前記少なくとも１つのインジケーションは、干渉を受けた前記シンボルの量を識別する、
請求項１０に記載の方法。
【請求項１６】
ワイヤレス通信のために構成された装置であって、
複数のデータユニットを第２の装置に送信するように構成された送信機と、
前記第２の装置によって送信された少なくとも１つのインジケーションを受信するように構成された受信機、ここにおいて、前記少なくとも１つのインジケーションは、前記複数のデータユニットが前記複数のデータユニットの前記送信の間に干渉を受けたかどうかを示す、と、
前記少なくとも１つのインジケーションに基づいて、少なくとも１つの他のデータユニットを前記装置から前記第２の装置に送信するための少なくとも１つの送信パラメータを決定するように構成された処理システムと
を備え、
前記受信機は、前記データユニットのうちいくつが前記第２の装置によって成功裏に受信されなかったかを示す情報を受信するようにさらに構成され、
前記処理システムは、前記少なくとも１つのインジケーションおよび前記受信された情報に基づいて、干渉により成功裏に受信されなかった前記データユニットの第１の量と、チャネル状態により成功裏に受信されなかった前記データユニットの第２の量とを決定するようにさらに構成され、
前記少なくとも１つの送信パラメータを前記決定することは、前記第１の量と前記第２の量とに基づく、装置。
【請求項１７】
前記少なくとも１つのインジケーションは、干渉を受けた前記データユニットの各々を識別する、
請求項１６に記載の装置。
【請求項１８】
前記少なくとも１つのインジケーションは、前記データユニットのうちいくつが干渉を受けたかを示す、累積された情報を備える、
請求項１６に記載の装置。
【請求項１９】
前記データユニットはパケット内に含まれ、
前記少なくとも１つのインジケーションは、前記パケットの前記データユニットのうちの１つまたは複数が干渉を受けたことを示す、
請求項１６に記載の装置。
【請求項２０】
前記複数のインジケーションは、前記第２の装置によって成功裏に受信されなかった前記データユニットの各々に関して、前記データユニットが干渉を受けたかどうかを示す、
請求項１６に記載の装置。
【請求項２１】
前記少なくとも１つのデータユニットは、複数のシンボルを備え、
前記少なくとも１つのインジケーションは、干渉を受けた前記シンボルのうちの少なくとも１つを示す、
請求項１６に記載の装置。
【請求項２２】
前記複数のデータユニットは、複数のシンボルを備え、
前記少なくとも１つのインジケーションは、干渉を受けた前記シンボルの量を識別する、
請求項１６に記載の装置。
【請求項２３】
前記少なくとも１つの送信パラメータを前記決定することは、変調およびコーディング方式を適応するかどうかを決定することを備える、
請求項１６に記載の装置。
【請求項２４】
ワイヤレス通信の方法であって、
複数のデータユニットを第１の装置から第２の装置に送信することと、
前記第２の装置によって送信された少なくとも１つのインジケーションを前記第１の装置において受信することと、ここにおいて、前記少なくとも１つのインジケーションは、前記複数のデータユニットが前記複数のデータユニットの前記送信の間に干渉を受けたかどうかを示す、
前記少なくとも１つのインジケーションに基づいて、少なくとも１つの他のデータユニットを前記第１の装置から前記第２の装置に送信するための少なくとも１つの送信パラメータを決定することと
を備え、
前記方法は、前記データユニットのうちいくつが前記第２の装置によって成功裏に受信されなかったかを示す情報を受信することをさらに備え、
前記方法は、前記少なくとも１つのインジケーションおよび前記受信された情報に基づいて、干渉により成功裏に受信されなかった前記データユニットの第１の量と、チャネル状態により成功裏に受信されなかった前記データユニットの第２の量とを決定することをさらに備え、
前記少なくとも１つの送信パラメータを前記決定することは、前記第１の量と前記第２の量とに基づく、方法。
【請求項２５】
前記少なくとも１つのインジケーションは、干渉を受けた前記データユニットの各々を識別する、
請求項２４に記載の方法。
【請求項２６】
前記少なくとも１つのインジケーションは、前記データユニットのうちいくつが干渉を受けたかを示す、累積された情報を備える、
請求項２４に記載の方法。
【請求項２７】
前記データユニットは、パケット内に含まれ、
前記少なくとも１つのインジケーションは、前記パケットの前記データユニットのうちの１つまたは複数が干渉を受けたことを示す、
請求項２４に記載の方法。
【請求項２８】
前記少なくとも１つのインジケーションは、前記第２の装置によって成功裏に受信されなかった前記データユニットの各々に関して、前記データユニットが干渉を受けたかどうかを示す、
請求項２４に記載の方法。
【請求項２９】
実行されると、請求項１０〜１５または２４〜２８のいずれか一項に記載の方法を装置に実施させる命令を備えるコンピュータ可読媒体を備える、ワイヤレス通信のためのコンピュータプログラム製品。
【手続補正２】
【補正対象書類名】明細書
【補正対象項目名】０２３４
【補正方法】変更
【補正の内容】
【０２３４】
[00257]開示した態様の前述の説明は、当業者が本開示を実施または使用できるように与えたものである。これらの態様への様々な修正が当業者には容易に明らかになり、本明細書で定義された一般原理が、本開示の範囲から逸脱することなく他の態様に適用され得る。したがって、本開示は、本明細書で示した態様に限定されるものではなく、本明細書で開示した原理および新規の特徴に一致する最も広い範囲を与えられるべきである。
以下に、本願出願の当初の特許請求の範囲に記載された発明を付記する。
［Ｃ１］
ワイヤレス通信のために構成された装置であって、
第２の装置によって送信された少なくとも１つのデータユニットを受信するように構成された受信機と、
前記少なくとも１つのデータユニットが前記少なくとも１つのデータユニットの前記送信の間に干渉を受けたかどうかを示す、少なくとも１つのインジケーションを生成するように構成された処理システムと、
前記少なくとも１つのインジケーションを前記第２の装置に送信するように構成された送信機と
を備える、装置。
［Ｃ２］
前記少なくとも１つのデータユニットを前記受信することは、複数のデータユニットを受信することを備え、
前記少なくとも１つのインジケーションは、干渉を受けた前記データユニットの各々を識別する
Ｃ１に記載の装置。
［Ｃ３］
前記少なくとも１つのデータユニットを前記受信することは、複数のデータユニットを受信することを備え、
前記少なくとも１つのインジケーションを前記生成することは、前記データユニットのうちいくつが干渉を受けたかに関する情報を累積することと、前記累積された情報に基づいてメトリックを生成することとを備える、
Ｃ１に記載の装置。
［Ｃ４］
前記少なくとも１つのデータユニットを前記受信することは、複数のデータユニットを受信することを備え、
前記処理システムは、前記装置によって成功裏に受信されなかった前記データユニットのうちのいずれかを識別するようにさらに構成され、
前記少なくとも１つのインジケーションは、成功裏に受信されなかった前記データユニットの各々に関して、前記データユニットが干渉を受けたかどうかを示す、Ｃ１に記載の装置。
［Ｃ５］
前記少なくとも１つのデータユニットは、複数のシンボルを備え、
前記少なくとも１つのインジケーションは、干渉を受けた前記シンボルのうちの少なくとも１つを示す、
Ｃ１に記載の装置。
［Ｃ６］
前記少なくとも１つのデータユニットは、複数のシンボルを備え、
前記少なくとも１つのインジケーションは、干渉を受けた前記シンボルの量を識別する、
Ｃ１に記載の装置。
［Ｃ７］
前記送信機は、機能情報を前記第２の装置に送信するようにさらに構成され、
前記機能情報は、前記装置が、データユニットが干渉を受けるかどうかのインジケーションを送ることをサポートすることを示す、
Ｃ１に記載の装置。
［Ｃ８］
前記機能情報は、前記インジケーションが前記装置から前記第２の装置に送られたメッセージ内のどこに位置するようになるかをさらに示す、
Ｃ７に記載の装置。
［Ｃ９］
前記機能情報は、前記インジケーションが他の情報の代わりになることをさらに示し、それは、そうでなければ、前記装置から前記第２の装置へのメッセージ内で送られることになる、
Ｃ７に記載の装置。
［Ｃ１０］
ワイヤレス通信の方法であって、
第２の装置によって送信された少なくとも１つのデータユニットを第１の装置において受信することと、
前記少なくとも１つのデータユニットが前記少なくとも１つのデータユニットの前記送信の間に干渉を受けたかどうかを示す、少なくとも１つのインジケーションを生成することと、
前記少なくとも１つのインジケーションを前記第１の装置から前記第２の装置に送信することと
を備える、方法。
［Ｃ１１］
前記少なくとも１つのデータユニットを前記受信することは、複数のデータユニットを受信することを備え、
前記少なくとも１つのインジケーションは、干渉を受けた前記データユニットの各々を識別する、
Ｃ１０に記載の方法。
［Ｃ１２］
前記少なくとも１つのデータユニットを前記受信することは、複数のデータユニットを受信することを備え、
前記少なくとも１つのインジケーションを前記生成することは、前記データユニットのうちいくつが干渉を受けたかに関する情報を累積することと、前記累積された情報に基づいてメトリックを生成することとを備える、
Ｃ１０に記載の方法。
［Ｃ１３］
前記少なくとも１つのデータユニットを前記受信することは、複数のデータユニットを受信することを備え、
前記方法は、前記第１の装置によって成功裏に受信されなかった前記データユニットのうちのいずれかを識別することをさらに備え、
前記少なくとも１つのインジケーションは、成功裏に受信されなかった前記データユニットの各々に関して、前記データユニットが干渉を受けたかどうかを示す、Ｃ１０に記載の方法。
［Ｃ１４］
前記少なくとも１つのデータユニットは、複数のシンボルを備え、
前記少なくとも１つのインジケーションは、干渉を受けた前記シンボルのうちの少なくとも１つを示す、
Ｃ１０に記載の方法。
［Ｃ１５］
前記少なくとも１つのデータユニットは、複数のシンボルを備え、
前記少なくとも１つのインジケーションは、干渉を受けた前記シンボルの量を識別する、
Ｃ１０に記載の方法。
［Ｃ１６］
ワイヤレス通信のために構成された装置であって、
少なくとも１つのデータユニットを第２の装置に送信するように構成された送信機と、
前記第２の装置によって送信された少なくとも１つのインジケーションを受信するように構成された受信機、ここにおいて、前記少なくとも１つのインジケーションは、前記少なくとも１つのデータユニットが前記少なくとも１つのデータユニットの前記送信の間に干渉を受けたかどうかを示す、と、
前記少なくとも１つのインジケーションに基づいて、少なくとも１つの他のデータユニットを前記装置から前記第２の装置に送信するための少なくとも１つの送信パラメータを決定するように構成された処理システムと
を備える、装置。
［Ｃ１７］
前記少なくとも１つのデータユニットは、複数のデータユニットを備え、
前記少なくとも１つのインジケーションは、干渉を受けた前記データユニットの各々を識別する、
Ｃ１６に記載の装置。
［Ｃ１８］
前記少なくとも１つのデータユニットは、複数のデータユニットを備え、
前記少なくとも１つのインジケーションは、前記データユニットのうちいくつが干渉を受けたかを示す、累積された情報を備える、
Ｃ１６に記載の装置。
［Ｃ１９］
前記少なくとも１つのデータユニットは、複数のデータユニットを備え、
前記データユニットはパケット内に含まれ、
前記少なくとも１つのインジケーションは、前記パケットの前記データユニットのうちの１つまたは複数が干渉を受けたことを示す、
Ｃ１６に記載の装置。
［Ｃ２０］
前記少なくとも１つのデータユニットは、複数のデータユニットを備え、
前記少なくとも１つのインジケーションは、前記第２の装置によって成功裏に受信されなかった前記データユニットの各々に関して、前記データユニットが干渉を受けたかどうかを示す、
Ｃ１６に記載の装置。
［Ｃ２１］
前記少なくとも１つのデータユニットは、複数のデータユニットを備え、
前記受信機は、前記データユニットのうちいくつが前記第２の装置によって成功裏に受信されなかったかを示す情報を受信するようにさらに構成され、
前記処理システムは、前記少なくとも１つのインジケーションおよび前記受信された情報に基づいて、干渉により成功裏に受信されなかった前記データユニットの第１の量と、チャネル状態により成功裏に受信されなかった前記データユニットの第２の量とを決定するようにさらに構成され、
前記少なくとも１つの送信パラメータを前記決定することは、前記第１の量と前記第２の量とに基づく、
Ｃ１６に記載の装置。
［Ｃ２２］
前記少なくとも１つのデータユニットは、複数のシンボルを備え、
前記少なくとも１つのインジケーションは、干渉を受けた前記シンボルのうちの少なくとも１つを示す、
Ｃ１６に記載の装置。
［Ｃ２３］
前記少なくとも１つのデータユニットは、複数のシンボルを備え、
前記少なくとも１つのインジケーションは、干渉を受けた前記シンボルの量を識別する、
Ｃ１６に記載の装置。
［Ｃ２４］
前記少なくとも１つの送信パラメータを前記決定することは、変調およびコーディング方式を適応するかどうかを決定することを備える、
Ｃ１６に記載の装置。
［Ｃ２５］
ワイヤレス通信の方法であって、
少なくとも１つのデータユニットを第１の装置から第２の装置に送信することと、
前記第２の装置によって送信された少なくとも１つのインジケーションを前記第１の装置において受信することと、ここにおいて、前記少なくとも１つのインジケーションは、前記少なくとも１つのデータユニットが前記少なくとも１つのデータユニットの前記送信の間に干渉を受けたかどうかを示す、
前記少なくとも１つのインジケーションに基づいて、少なくとも１つの他のデータユニットを前記第１の装置から前記第２の装置に送信するための少なくとも１つの送信パラメータを決定することと
を備える、方法。
［Ｃ２６］
前記少なくとも１つのデータユニットは、複数のデータユニットを備え、
前記少なくとも１つのインジケーションは、干渉を受けた前記データユニットの各々を識別する、
Ｃ２５に記載の方法。
［Ｃ２７］
前記少なくとも１つのデータユニットは、複数のデータユニットを備え、
前記少なくとも１つのインジケーションは、前記データユニットのうちいくつが干渉を受けたかを示す、累積された情報を備える、
Ｃ２５に記載の方法。
［Ｃ２８］
前記少なくとも１つのデータユニットは、複数のデータユニットを備え、
前記データユニットは、パケット内に含まれ、
前記少なくとも１つのインジケーションは、前記パケットの前記データユニットのうちの１つまたは複数が干渉を受けたことを示す、
Ｃ２５に記載の方法。
［Ｃ２９］
前記少なくとも１つのデータユニットは、複数のデータユニットを備え、
前記少なくとも１つのインジケーションは、前記第２の装置によって成功裏に受信されなかった前記データユニットの各々に関して、前記データユニットが干渉を受けたかどうかを示す、
Ｃ２５に記載の方法。
［Ｃ３０］
前記少なくとも１つのデータユニットは、複数のデータユニットを備え、
前記方法は、前記データユニットのうちいくつが前記第２の装置によって成功裏に受信されなかったかを示す情報を受信することをさらに備え、
前記方法は、前記少なくとも１つのインジケーションおよび前記受信された情報に基づいて、干渉により成功裏に受信されなかった前記データユニットの第１の量と、チャネル状態により成功裏に受信されなかった前記データユニットの第２の量とを決定することをさらに備え、
前記少なくとも１つの送信パラメータを前記決定することは、前記第１の量と前記第２の量とに基づく、
Ｃ２５に記載の方法。
【国際調査報告】
2016516320.tif 000027
2016516320.tif 000028
2016516320.tif 000029